(57)【要約】本発明は、軟骨、半月板、靭帯、腱、骨、皮膚、角膜、歯周組織、膿瘍、切除した腫瘍、および潰瘍のようなヒトまたは動物の組織を修復する新しい方法に関する。本方法は、組成物が組織に接着し、組織の修復のための細胞増殖の支持を促進するように、温度依存性ポリマーゲル組成物を組織に導入する段階を含む。ポリマー以外に、組成物は好ましくは、全血、加工した血液、静脈血、動脈血、骨由来の血液、骨髄由来の血液、骨髄、臍帯血、胎盤血、赤血球、白血球、単球、血小板、フィブリノーゲン、トロンビン、および血小板に富む無赤血球血漿のような血液成分を含む。本発明は本発明の方法で使用する新しい組成物にも関する。
2004501682.tif 000002
【特許請求の範囲】
【請求項１】
組成物が組織に接着し、組織の修復のための細胞増殖を支持するように、温度依存性ポリマーゲル組成物を組織に導入する段階を含む、患者の組織を修復する方法。
【請求項２】
組成物が少なくとも１つの血液成分を含む、請求項１記載の方法。
【請求項３】
ポリマー組成物を組織に導入する段階を含む、患者の組織の修復方法であって、ポリマー組成物が少なくとも１つの血液成分と混合可能で、ポリマー組成物が血液成分と混合されると混合物になり、混合物が時間が経つまたは加熱されると非液体状態に変化し、該混合物が導入部位に保持され、組織の修復のためにそこに接着する、患者の組織の修復方法。
【請求項４】
ポリマーが修飾または天然多糖類である、請求項３記載の方法。
【請求項５】
多糖類が、キトサン、キチン、ヒアルロナン、グリコサミノグリカン、コンドロイチン硫酸、ケラタン硫酸、デルマタン硫酸、ヘパリン、およびヘパリン硫酸からなる群より選択される、請求項４記載の方法。
【請求項６】
ポリマー組成物が、天然、組換えもしくは合成蛋白質、またはポリアミノ酸を含む、請求項３記載の方法。
【請求項７】
ポリアミノ酸がポリリジンである、請求項６記載の方法。
【請求項８】
天然蛋白質が可溶性コラーゲンまたはゼラチンである、請求項６記載の方法。
【請求項９】
ポリマー組成物が、カルボキシル官能基、アミノ官能基、スルホン官能基、ホスホン官能基、ホスフェン官能基を含み、さらなる官能基を含むまたは含まない、ポリ乳酸、ポリグリコール酸、合成ホモコポリマーおよびブロックコポリマーを含む、請求項３記載の方法。
【請求項１０】
さらなる官能基が、ヒドロキシル基、チオール基、アルコキシ基、アリルオキシ基、アシルオキシ基、およびアロイルオキシ基からなる群より選択される、請求項９記載の方法。
【請求項１１】
ポリマー組成物がまず無機塩を含む緩衝液に溶解または懸濁される、請求項３記載の方法。
【請求項１２】
無機塩がナトリウム、塩化物、カリウム、カルシウム、マグネシウム、リン酸塩、硫酸塩、およびカルボン酸塩からなる群より選択される、請求項１１記載の方法。
【請求項１３】
ポリマー組成物が、グリセロールリン酸、フルクトースリン酸、グルコースリン酸、Ｌ−セリンリン酸、アデノシンリン酸、グルコサミン、ガラクトサミン、ＨＥＰＥＳ、ＰＩＰＥＳ、およびＭＥＳからなる群より選択される有機塩を含む緩衝液中に溶解または懸濁される、請求項３記載の方法。
【請求項１４】
ポリマー組成物が、６．５と７．８の間のｐＨを持つ、請求項３記載の方法。
【請求項１５】
ポリマー溶液の浸透圧が、２５０ ｍＯｓｍ／Ｌと６００ ｍＯｓｍ／Ｌの間の生理的値に調節される、請求項３記載の方法。
【請求項１６】
血液成分が、全血、加工した血液、静脈血、動脈血、骨由来の血液、骨髄由来の血液、骨髄、臍帯血、および胎盤血からなる群より選択される、請求項３記載の方法。
【請求項１７】
血液成分が、赤血球、白血球、単球、血小板、フィブリノーゲン、およびトロンビンからなる群より選択される、請求項３記載の方法。
【請求項１８】
血液成分が血小板に富む無赤血球血漿を含む、請求項３記載の方法。
【請求項１９】
血液成分の凝固が阻止されている、請求項３記載の方法。
【請求項２０】
血液成分が、クエン酸塩、ヘパリン、またはＥＤＴＡからなる群より選択される抗凝固剤を含む、請求項１９記載の方法。
【請求項２１】
導入部位での凝固／固体化を向上するために、血液成分が凝固促進物質を含む、請求項３記載の方法。
【請求項２２】
凝固促進物質が、トロンビン、カルシウム、コラーゲン、エラグ酸、エピネフリン、アデノシン二リン酸、組織因子、リン脂質、および凝固因子からなる群より選択される、請求項２１記載の方法。
【請求項２３】
凝固因子が第ＶＩＩ因子である、請求項２２記載の方法。
【請求項２４】
血液成分が、自己または非自己である、請求項３記載の方法。
【請求項２５】
ポリマー組成物が血液成分に対して１：１００から１００：１までの種々の比で使用される、請求項３記載の方法。
【請求項２６】
ポリマー組成物および血液成分が音波、撹拌、ボルテックス、またはシリンジを何度も通過させることによって機械的に混合される、請求項３記載の方法。
【請求項２７】
組織が、軟骨、半月板、靭帯、腱、骨、皮膚、角膜、歯周組織、顎顔面組織、側頭下顎骨組織、膿瘍、切除した腫瘍、および潰瘍からなる群より選択される、請求項３〜２６のいずれか一項に記載の方法。
【請求項２８】
組織の修復に使用されるポリマー組成物であって、ポリマーおよび血液成分を含む、ポリマー組成物。
【請求項２９】
患者の組織の修復に使用されるポリマー組成物であって、少なくとも１つの血液成分と混合可能で、血液成分と混合されると混合物になり、混合物が時間が経つまたは加熱されると非液体状態に変化し、該混合物が導入部位に保持され、組織の修復のためにそこに接着する、ポリマー組成物。
【請求項３０】
ポリマーが修飾または天然多糖類である、請求項２９記載のポリマー組成物。
【請求項３１】
多糖類が、キトサン、キチン、ヒアルロナン、グリコサミノグリカン、コンドロイチン硫酸、ケラタン硫酸、デルマタン硫酸、ヘパリン、またはヘパリン硫酸からなる群より選択される、請求項３０記載のポリマー組成物。
【請求項３２】
ポリマー組成物が、天然、組換えもしくは合成蛋白質、またはポリアミノ酸を含む、請求項２９記載のポリマー組成物。
【請求項３３】
ポリアミノ酸がポリリジンである、請求項３２記載のポリマー組成物。
【請求項３４】
天然蛋白質が可溶性コラーゲンまたはゼラチンである、請求項３２記載のポリマー組成物。
【請求項３５】
ポリマー組成物が、カルボキシル官能基、アミノ官能基、スルホン官能基、ホスホン官能基、ホスフェン官能基を含み、さらなる官能基を含むまたは含まない、ポリ乳酸、ポリグリコール酸、合成ホモコポリマーおよびブロックコポリマーを含む、請求項２９記載のポリマー組成物。
【請求項３６】
さらなる官能基が、ヒドロキシル基、チオール基、アルコキシ基、アリルオキシ基、アシルオキシ基、およびアロイルオキシ基からなる群より選択される、請求項３５記載のポリマー組成物。
【請求項３７】
ポリマー組成物が無機塩を含む緩衝液に溶解または懸濁される、請求項２９記載のポリマー組成物。
【請求項３８】
無機塩がナトリウム、塩化物、カリウム、カルシウム、マグネシウム、リン酸塩、硫酸塩、およびカルボン酸塩からなる群より選択される、請求項３７記載のポリマー組成物。
【請求項３９】
ポリマー組成物が、グリセロールリン酸、フルクトースリン酸、グルコースリン酸、Ｌ−セリンリン酸、アデノシンリン酸、グルコサミン、ガラクトサミン、ＨＥＰＥＳ、ＰＩＰＥＳ、およびＭＥＳからなる群より選択される有機塩を含む緩衝液中に溶解または懸濁される、請求項２９記載のポリマー組成物。
【請求項４０】
ポリマー組成物が、６．５と７．８の間のｐＨを持つ、請求項２９記載のポリマー組成物。
【請求項４１】
ポリマー溶液の浸透圧が、２５０ ｍＯｓｍ／Ｌと６００ ｍＯｓｍ／Ｌの間の生理的値に調節される、請求項２９記載のポリマー組成物。
【請求項４２】
血液成分が、全血、加工した血液、静脈血、動脈血、骨由来の血液、骨髄由来の血液、骨髄、臍帯血、および胎盤血からなる群より選択される、請求項２９記載のポリマー組成物。
【請求項４３】
血液成分が、赤血球、白血球、単球、血小板、フィブリノーゲン、およびトロンビンからなる群より選択される、請求項２９記載のポリマー組成物。
【請求項４４】
血液成分が血小板に富む無赤血球血漿を含む、請求項２９記載のポリマー組成物。
【請求項４５】
血液成分の凝固が阻止されている、請求項２９記載のポリマー組成物。
【請求項４６】
血液成分が、クエン酸塩、ヘパリン、またはＥＤＴＡからなる群より選択される抗凝固剤を含む、請求項４５記載のポリマー組成物。
【請求項４７】
導入部位での凝固／固体化を向上するために、血液成分が凝固促進物質を含む、請求項２９記載のポリマー組成物。
【請求項４８】
凝固促進物質が、トロンビン、カルシウム、コラーゲン、エラグ酸、エピネフリン、アデノシン二リン酸、組織因子、リン脂質、および凝固因子からなる群より選択される、請求項４７記載のポリマー組成物。
【請求項４９】
凝固因子が第ＶＩＩ因子である、請求項４８記載のポリマー組成物。
【請求項５０】
血液成分が、自己または非自己である、請求項２９記載のポリマー組成物。
【請求項５１】
ポリマー組成物が血液成分に対して１：１００から１００：１までの種々の比で使用される、請求項２９記載のポリマー組成物。
【請求項５２】
ポリマー組成物および血液成分が音波、撹拌、ボルテックス、またはシリンジを何度も通過させることによって機械的に混合される、請求項２９記載のポリマー組成物。
【請求項５３】
組織が、軟骨、半月板、靭帯、腱、骨、皮膚、角膜、歯周組織、膿瘍、切除した腫瘍、および潰瘍からなる群より選択される、請求項２９〜５２のいずれか一項に記載のポリマー組成物。
【請求項５４】
組織の修復のための温度依存性ポリマーゲル組成物の使用。
【請求項５５】
組成物が少なくとも１つの血液成分を含む、請求項５４記載の使用。
【請求項５６】
組織の修復のためのポリマー組成物の使用であって、ポリマー組成物が少なくとも１つの血液成分と混合可能で、該ポリマー組成物が血液成分と混合されると混合物になり、混合物が時間が経つまたは加熱されると非液体状態に変化し、該混合物が組織の修復のために導入部位に保持される、ポリマー組成物の使用。
【請求項５７】
ポリマーが修飾または天然多糖類である、請求項５６記載の使用。
【請求項５８】
多糖類が、キトサン、キチン、ヒアルロナン、グリコサミノグリカン、コンドロイチン硫酸、ケラタン硫酸、デルマタン硫酸、ヘパリン、またはヘパリン硫酸からなる群より選択される、請求項５７記載の使用。
【請求項５９】
ポリマー組成物が、天然、組換えもしくは合成蛋白質、またはポリアミノ酸を含む、請求項５６記載の使用。
【請求項６０】
ポリアミノ酸がポリリジンである、請求項５９記載の使用。
【請求項６１】
天然蛋白質が可溶性コラーゲンまたはゼラチンである、請求項５９記載の使用。
【請求項６２】
ポリマー組成物が、カルボキシル官能基、アミノ官能基、スルホン官能基、ホスホン官能基、ホスフェン官能基を含み、さらなる官能基を含むまたは含まない、ポリ乳酸、ポリグリコール酸、合成ホモコポリマーおよびブロックコポリマーを含む、請求項５６記載の使用。
【請求項６３】
さらなる官能基が、ヒドロキシル基、チオール基、アルコキシ基、アリルオキシ基、アシルオキシ基、およびアロイルオキシ基からなる群より選択される、請求項６２記載の使用。
【請求項６４】
ポリマー組成物がまず無機塩を含む緩衝液に溶解または懸濁される、請求項５６記載の使用。
【請求項６５】
無機塩がナトリウム、塩化物、カリウム、カルシウム、マグネシウム、リン酸塩、硫酸塩、およびカルボン酸塩からなる群より選択される、請求項６４記載の使用。
【請求項６６】
ポリマー組成物が、グリセロールリン酸、フルクトースリン酸、グルコースリン酸、Ｌ−セリンリン酸、アデノシンリン酸、グルコサミン、ガラクトサミン、ＨＥＰＥＳ、ＰＩＰＥＳ、およびＭＥＳからなる群より選択される有機塩を含む緩衝液中に溶解または懸濁される、請求項５６記載の使用。
【請求項６７】
ポリマー組成物が、６．５と７．８の間のｐＨを持つ、請求項５６記載の使用。
【請求項６８】
ポリマー溶液の浸透圧が、２５０ ｍＯｓｍ／Ｌと６００ ｍＯｓｍ／Ｌの間の生理的値に調節される、請求項５６記載の使用。
【請求項６９】
血液成分が、全血、加工した血液、静脈血、動脈血、骨由来の血液、骨髄由来の血液、骨髄、臍帯血、および胎盤血からなる群より選択される、請求項５６記載の使用。
【請求項７０】
血液成分が、赤血球、白血球、単球、血小板、フィブリノーゲン、およびトロンビンからなる群より選択される、請求項５６記載の使用。
【請求項７１】
血液成分が血小板に富む無赤血球血漿を含む、請求項５６記載の使用。
【請求項７２】
血液成分の凝固が阻止されている、請求項５４記載の使用。
【請求項７３】
血液成分が、クエン酸塩、ヘパリン、またはＥＤＴＡからなる群より選択される抗凝固剤を含む、請求項７２記載の使用。
【請求項７４】
導入部位での凝固／固体化を向上するために、血液成分が凝固促進物質を含む、請求項５６記載の使用。
【請求項７５】
凝固促進物質が、トロンビン、カルシウム、コラーゲン、エラグ酸、エピネフリン、アデノシン二リン酸、組織因子、リン脂質、および凝固因子からなる群より選択される、請求項７４記載の使用。
【請求項７６】
凝固因子が第ＶＩＩ因子である、請求項７５記載の使用。
【請求項７７】
血液成分が、自己または非自己である、請求項５６記載の使用。
【請求項７８】
ポリマー組成物が血液成分に対して１：１００から１００：１までの種々の比で使用される、請求項５６記載の使用。
【請求項７９】
ポリマー組成物および血液成分が音波、撹拌、ボルテックス、またはシリンジを何度も通過させることによって機械的に混合される、請求項５６記載の使用。
【請求項８０】
組織が、軟骨、半月板、靭帯、腱、骨、皮膚、角膜、歯周組織、膿瘍、切除した腫瘍、および潰瘍からなる群より選択される、請求項５６〜７９のいずれか一項に記載の使用。
【請求項８１】
インビボにおける組織の修復または再生のための細胞の送達のためのキトサン溶液の使用であって、キトサン溶液が０．５〜３％ｗ／ｖのキトサンを含み、熱でゲル化するよう調製され、溶液が修復または再生する組織に注入される前に細胞と混合される、キトサン溶液の使用。
【請求項８２】
キトサン組成物がリン酸塩、グリセロールリン酸、またはグルコサミンの添加によって熱でゲル化するように誘導される、請求項８１記載の使用。
【請求項８３】
キトサン溶液が６．５から７．８の間のｐＨを持つ、請求項８１記載の使用。
【請求項８４】
細胞が自己または非自己である、請求項８１記載の使用。
【請求項８５】
細胞が、初代細胞、継代細胞、選択された細胞、血小板、間質細胞、幹細胞、および遺伝的に改変された細胞からなる群より選択される、請求項８１記載の使用。
【請求項８６】
細胞が担体溶液中に懸濁される、請求項８１記載の使用。
【請求項８７】
担体溶液が、ヒアルロン酸、ヒドロキシエチルセルロース、コラーゲン、アルギン酸塩、または水溶性ポリマーを含む、請求項８６記載の使用。
【請求項８８】
インビトロでの細胞培養のためのゲル化するキトサン溶液の使用であって、キトサン溶液が、０．５〜３％ｗ／ｖのキトサンを含み、熱でゲル化するように調製されており、溶液が培養前にインビトロで細胞と混合される、キトサン溶液の使用。
【請求項８９】
キトサン組成物がリン酸塩、グリセロールリン酸、またはグルコサミンの添加によって熱でゲル化するように誘導される、請求項８８記載の使用。
【請求項９０】
キトサン溶液が６．５から７．８の間のｐＨを持つ、請求項８９記載の使用。
【請求項９１】
細胞が、初代細胞、継代細胞、選択された細胞、間質細胞、幹細胞、および遺伝的に改変された細胞からなる群より選択される、請求項８９記載の使用。
【請求項９２】
細胞が担体溶液中に懸濁される、請求項８９記載の使用。
【請求項９３】
担体溶液が、ヒアルロン酸、ヒドロキシエチルセルロース、コラーゲン、アルギン酸塩、または水溶性ポリマーを含む、請求項９１記載の使用。
【請求項９４】
平均分子量が１ ｋＤａから１０ ＭＤａの間の０．０１％と１０％ｗ／ｖの間の２０％〜１００％脱アセチルキトサン、および血液成分を含むポリマー組成物。
【請求項９５】
キトサンが有機または無機リン酸緩衝液に溶解される、請求項９４記載のポリマー組成物。
【請求項９６】
有機または無機リン酸緩衝液が、リン酸塩、グリセロールリン酸を含む緩衝液である、請求項９５記載のポリマー組成物。
【請求項９７】
組成物中のキトサンが、可溶性の状態であり、組成物が６．５と７．４の間のｐＨを持つ、請求項９５記載のポリマー組成物。
【請求項９８】
体内への導入部位が異常な組織を除去するために外科的に準備された、請求項３記載の方法。
【請求項９９】
隣接組織領域または血管化領域への穴開け、剥離、または穿孔によりポリマー成分が修復を必要とする部位へ移動するためのチャネルを形成することによって、修復を必要とする組織が外科的に準備される、請求項９８記載の方法。
【発明の詳細な説明】
【０００１】
発明の背景
（ａ）発明の分野
本発明は軟骨組織、ならびに半月板、靭帯、腱、骨、皮膚、角膜、歯周組織、膿瘍、切除した腫瘍、および潰瘍を含むがこれらには限定されることのない他の組織の修復の改善および再生のための組成物および方法に関する。
【０００２】
（ｂ）先行技術の説明
１） 軟骨修復の問題
軟骨：構造、機能、発生、病理
関節軟骨は可動関節の骨の末端を覆い、下にある骨構造に移動力を分散させ、同時にほぼ摩擦のない関節界面を形成している。このような性質は、ＩＩ型コラーゲンおよび他の少量コラーゲン成分、ならびに高含有量のプロテオグリカンアグリカンからなる細胞外マトリックスによって提供されている。一般に、線維性コラーゲンのネットワークは張力および剪断力に抵抗し、高い電荷を持つアグリカンは圧縮および間質液の流れに抵抗する。摩擦の低さは、関節面の特別な分子組成および滑液のため、ならびに関節面に加重がかかると間質液が滲出するためである（Ａｔｅｓｈｉａｎ、１９９７； Ｈｉｇａｋｉら、１９９７； ＳｃｈｗａｒｔｚおよびＨｉｌｌｓ、１９９８）。
【０００３】
関節軟骨は、長骨の発生時に、前軟骨間葉細胞の凝縮、ならびに主にＩ型コラーゲンからＩＩ型コラーゲンおよびアグリカンへの表現型の転換の誘導後に、形成される（Ｈａｌｌ、１９８３； Ｐｅｃｈａｋら、１９８６）。軟骨細胞が肥大し、Ｘ型コラーゲン発現に転換し、それにともない血管の侵襲、マトリックスの石灰化、骨芽細胞の出現、および骨マトリックスの生産が起きると、骨が形成される。成人では、関節軟骨の薄い層が骨の末端に残り、細胞外マトリックスの合成、集合、および代謝回転を通して軟骨細胞によって維持される（Ｋｕｅｔｔｎｅｒ、１９９２）。関節軟骨の疾病は、物理的な外傷のために骨折が起きたり、多くの関節炎に特徴的に見られるようなよりゆるやかな侵食によって肋軟骨下骨が露出して症候性の関節痛を発現して起きる（ＭｃＣａｒｔｙおよびＫｏｏｐｍａｎ、１９９３）。成人では、関節軟骨以外にも、耳や鼻などの、しばしば再建手術の対象となるいくつかの体の部位にも、軟骨組織は残っている。
【０００４】
２） 軟骨の修復：自然の応答
損傷に対する成人の関節軟骨の反応は限定的であるが、これは主に血管化の欠如と、高密度のプロテオグリカンに富む細胞外マトリックスの存在のためである（Ｎｅｗｍａｎ、１９９８； ＢｕｃｋｗａｌｔｅｒおよびＭａｎｋｉｎ、１９９７； ＭｉｎａｓおよびＮｅｈｒｅｒ、１９９７）。前者は炎症性および多分化能性修復細胞の出現を阻害し、後者は移動を促進しないマトリックス中に定住軟骨細胞を拘束する。しかし、肋軟骨下骨を貫通する病変は、高度に血管化した骨への導管を形成し、病変に骨および骨髄由来のフィブリン凝塊を形成させ、肉芽組織が生じる。肉芽組織の深い部分は、肋軟骨下骨プレートを再構成し、上部は線維軟骨性の修復組織に転換する。この組織は、一時的に硝子軟骨の組織学的形態を示すが、機械的性質は異なり（Ｗｅｉら、１９９７）、局所的な機械的環境に耐えられず、損傷後１年以内に分解が見られる。したがって、成人の関節軟骨における修復に対する自然の応答は、部分的な厚さの病変では修復応答がなく（軟骨の流れと局所的な軟骨細胞のクローニングのみ）、骨貫通した全層の病変では、限定的で不成功な応答が見られる。しかし、未熟な関節軟骨における全層の病変は、成人よりもうまく治癒し（ＤｅＰａｌｍａら、１９６６； Ｗｅｉら、１９９７）、胎児関節軟骨の表面的な裂傷は、脈管構造または骨由来の細胞の関与なく完全に治癒するので（Ｎａｍｂａら、１９９８）、年齢は重要な要素である。
【０００５】
３） 補助した軟骨修復に対する現在のアプローチ
症候性軟骨欠損に対する現在の臨床治療の技術の目的は：１） 削りと壊死組織切除による表面の不揃いの除去、２） 上述の自然な修復応答を補うための、穿孔、破砕、または剥離による肋軟骨下骨の貫通（一連の骨髄刺激技術）、３） 残存軟骨を関節に使用するための関節の再配置または骨切り、４） 薬理学的修飾、５） 組織移植、および６） 細胞移植（Ｎｅｗｍａｎ、１９９８； ＢｕｃｋｗａｌｔｅｒおよびＭａｎｋｉｎ、１９９７）である。これらの方法の大部分は、症状軽減のために短期的（数ヶ月から数年）な利益があるが、数年後にも関節病変の修復の成功を一貫して示せるものはない。削り、壊死組織切除、穿孔、破砕および剥離関節形成という骨髄刺激技術は、症状の一時的緩和をもたらすが、機能の低い線維軟骨性組織を生成し、これは最終的には分解される。欠損部位に成長因子を供給する薬理学的修飾は、自然の修復を補うが、現在のところまだ十分ではない（ＨｕｎｚｉｋｅｒおよびＲｏｓｅｎｂｅｒｇ、１９９６； Ｓｅｌｌｅｒｓら、１９９７）。生存可能な軟骨細胞を含む同種および自家の骨軟骨組織移植片では修復はより成功するが、ドナーがかなり限られているという問題がある（Ｍａｈｏｍｅｄら、１９９２； Ｏｕｔｅｒｂｒｉｄｇｅら、１９９５）。
【０００６】
４） 骨髄刺激
一連の骨髄刺激技術には、壊死組織切除、削り、穿孔、微小破砕、および剥離関節形成術が含まれる。これらは現在、全層、すなわち肋軟骨下骨に達し、通常は面積が３ ｃｍ２未満の限られたサイズの関節軟骨の巣状病変の治療に整形外科診療で広く使用されている。これらの手技の使用は、軟骨／骨の界面を乱すことによって、骨から無血管の軟骨欠損への出血を誘導することにより、関節軟骨病変部に血塊を形成できると考えたプライディー（Ｐｒｉｄｉｅ）らが開始した（Ｐｒｉｄｉｅ、１９５９； Ｉｎｓａｌｌ、１９６７； ＤｅＰａｌｍａら、１９６６）。その後この血腫は、治癒の成功または少なくとも血管化組織の創傷における瘢痕化に至る創傷治癒現象の古典的カスケードを開始する（Ｃｌａｒｋ、１９９６）。プライディー（Ｐｒｉｄｉｅ）の穿孔技術の改変は、その後提案されたが、これには剥離関節形成（ＣｈｉｌｄｅｒｓおよびＥｌｌｗｏｏｄ、１９７９； Ｊｏｈｎｓｏｎ、１９９１）および微小破砕（Ｒｏｄｒｉｇｏら、１９９３； Ｓｔｅａｄｍａｎら、１９９７）が含まれる。剥離関節形成は、電動器具を用いて異常に緻密な肋軟骨下骨を破砕し、より柔らかい深部の骨中の血液に到達するものである。微小破砕技術では、ピックまたは突きぎりを用いて十分に深く（通常３〜４ ｍｍ）肋軟骨下骨プレートに穿孔し、やはり脈管供給源に到達して軟骨病変内で血塊を形成する。微小破砕技術を行なう医療従事者によると、この方法では熱に誘導される壊死がなく、穿孔のようにプレートに大きな穴を開ける代わりに数多くの小さな破砕を行なうので肋軟骨下骨プレートの生体力学的な不安定化が少ないので、成功率が高いことが観察されるという（Ｓｔｅａｄｍａｎら、１９９８）。関節軟骨の巣状病変治療のさらに別の関連する技術は、モザイク形成または骨軟骨自家移植（ＯＡＴＳ）で、軟骨／骨シリンダーが関節の末梢の「使用されない」領域から、軟骨病変を含む高度に加重される領域に移植される（Ｈａｎｇｏｄｙら、１９９７）。
【０００７】
どのタイプの関節軟骨病変に、どのタイプの治療を施すかということに関しては、整形外科医間でも意見の一致はない。また、特定の適用に関して、これらの治療の有効性を示す正確な科学的研究もない。したがって、軟骨病変の治療法の選択は、医療従事者の訓練、好み、および個人的経験に負うところが多い。意見の一致がない理由はいくつもあるが、治療する病変のタイプの変動が大きく、「良質の」血塊の形成の成功が制御できないとまでは言わなくとも変動的なためでもある。これらの手技で良質の血塊を形成する際の問題点には、１） 骨からの出血が制御できないという性質があることで、出血は軟骨病変部を完全に充填することはないこと、２） 血塊形成後、数分以内に血小板を介した血塊の収縮が起こるため、血塊のサイズが低下し、周りの軟骨からはがれることがあること（Ｃｏｈｅｎら、１９７５）、３） 骨の血液が滑液または循環する関節鏡検査の液体で希釈されること、および４） 滑液による線維素溶解または血塊溶解活性（Ｍａｎｋｉｎ、１９７４）がある。これらの問題のために、血塊をエクスビボで形成させ、大きさに合わせて切断し、半月板欠損（Ａｒｎｏｃｚｋｙら、１９８８）または骨軟骨欠損（Ｐａｌｅｔｔｅら、１９９２）に詰めるという研究が行われた。すると結果として古典的な創傷治癒カスケードに類似したものが起こり、欠損の治癒が助けられる。このアプローチは欠損を修復組織でより多く充填はしたが、修復組織の質は一般に許容できるものではなく、主に線維性であり機械的に不十分であった。このアプローチでは満足できない修復組織が得られた理由はおそらく、１） 血小板を介した血塊の収縮が続く、２） 広範なエクスビボの操作のために血液成分の中には生存能力を失うものがあった、３） エクスビボで血塊の固体化が起こるために、軟骨欠損部を取り囲む全ての組織表面への接着が十分行われず、欠損の充填が限定される。まとめると、現在、整形外科医が関節軟骨の巣状病変を治療するために実施する臨床手技は、主に病変内の血塊の形成に依存している。しかし、病変部を充填し、創傷治癒に適切な要素（血小板、単球、フィブリンネットワーク等）を全て生存可能な状態で含む良質の血塊を形成する能力は、首尾一貫せずしばしば満足できない結果を生じる。本発明の態様の１つは、これらの血液に含まれる創傷治癒の要素を、完全な体積で収縮しないマトリックスとして、関節軟骨病変部に送達する組成物および方法を提供することによって、この状況を改善する。
【０００８】
５） 生体材料および成長因子
生体材料および成長因子を、時には単独で、しばしば組み合せて用いて軟骨病変部の修復を行なういくつかの実験的技術が提案されている。上述の一連の骨髄刺激技術との類似は明らかである。血塊のフィブリン骨格は、前もって組み立てられた生体材料の骨格で置き換え、血塊中の天然の分裂促進および走化性因子は、ユーザーが決めた量および種類の組換え成長因子のような可溶性因子で置き換えられる。このアプローチの例には、インスリン様成長因子（Ｎｉｘｏｎら、１９９９）およびトランスフォーミング増殖因子（ＨｕｎｚｉｋｅｒおよびＲｏｓｅｎｂｅｒｇ、１９９６）のような組換え蛋白質を送達するためのフィブリン糊の使用がある。他の生物製剤は、ポリ乳酸（ＰＬＡ）、ポリグリコール酸（ＰＧＡ）、コラーゲンマトリックスならびに骨形態形成蛋白質（Ｓｅｌｌｅｒｓら、１９９７； Ｓｅｌｌｅｒｓ、２０００； Ｚｈａｎｇら、国際公開公報第００／４４４１３号、２０００）、アンジオテンシン様ペプチド（ＲｏｇｅｒｓおよびＤｉｚｅｒｅｇａ、国際公開公報第００／０２９０５号、２０００）および骨蛋白質またはＢＰと呼ばれる複数の蛋白質を含む骨抽出物（Ａｔｋｉｎｓｏｎ、国際公開公報第００／４８５５０号、２０００）を含めたフィブリン糊のような一般的な生物製剤と組み合わされてきた。後者の方法では、ＢＰに浸したコラーゲンスポンジは、別のフィブリン／トロンビンベースの接着剤を用いて軟骨欠損部に保持される必要があり、複雑で再現の困難な創傷治癒環境が作られた。細胞の接着および細胞の移動を助けるために、生体材料をフィブロネクチンまたはＲＧＤペプチドでコートすることも行われた（ＢｒｅｃｋｋｅおよびＣｏｕｔｔｓ、特許第６，００５，１６１号、１９９９）。以前の方法の中には、骨髄刺激と、滑膜包への成長ホルモンの術後注射とを組み合せたものもあったが、限定的な成功しかしなかった（ＤｕｎｎおよびＤｕｎｎ、特許第５，３６８，０５１号、１９９４）。コラーゲン、キトサン、およびグリコアミノグリカンの混合物（Ｃｏｌｌｏｍｂｅｌら、特許第５，１６６，１８７号、１９９２； Ｓｕｈら、国際公開公報第９９／４７１８６号、１９９９）、粉砕した軟骨および骨のペースト（Ｓｔｏｎｅ、特許第６，１１０，２０９号、２０００）、コラーゲンベースの多成分の構築物（Ｐａｈｃｅｎｃｅら、特許第６，０８０，１９４号、２０００）、および硬化性の化学反応性メタクリレートベースの樹脂（Ｂｒａｄｅｎら、特許第５，４６８，７８７号、１９９５）のような、特定の生体材料組成物も提案された。以下のいくつかの問題を克服できないために、これらのアプローチで臨床に使われるようになったものはない。１） 軟骨欠損部での生体材料の保持および接着がないこと、２） 長期間にわたって有効量のこれらの分子の活性型が持続して放出されないこと、３） 送達される分子に複数の制御できない生体活性があること、４） ＰＧＡおよびＰＬＡの酸性分解産物の細胞毒性、５） 担体生体材料の不適切な分解動態または免疫原性、および６） 活性生物製剤の望ましくない全身性または異所性効果（組織の石灰化）。これらのアプローチを成功させるためには、このような問題のいくつかまたは全ての解決が待たれる。
【０００９】
６） 細胞移植
細胞移植に関する技術は、近年注目を集めてきたが、これはエクスビボでの継代および操作の後に、自己軟骨（Ｇｒａｎｄｅら、１９８９； Ｂｒｉｔｔｂｅｒｇら、１９９４および１９９６； Ｂｒｅｉｎａｎら、１９９７）、同種軟骨（ＣｈｅｓｔｅｒｍａｎおよびＳｍｉｔｈ、１９６８； ＢｅｎｔｌｙおよびＧｒｅｅｒ、１９７１； Ｇｒｅｅｎ、１９７７； ＡｓｔｏｎおよびＢｅｎｔｌｙ、１９８６； Ｉｔａｙら、１９８７； Ｗａｋａｔｉｎｉら、１９８９； Ｒｏｂｉｎｓｏｎら、１９９０； Ｆｒｅｅｄら、１９９４； Ｎｏｇｕｃｈｉら、１９９４； Ｈｅｎｄｒｉｃｋｓｏｎら、１９９４； Ｋａｎｄｅｌら、１９９５； ＳａｍｓおよびＮｉｘｏｎ、１９９５； Ｓｐｅｃｃｈｉａら、１９９６； Ｆｒａｎｋｅｌら、１９９７； Ｈｙｃら、１９９７； Ｋａｗａｍｕｒａら、１９９８）、異種軟骨（Ｈｏｍｍｉｎｇａら、１９９１）、軟骨膜細胞（Ｃｈｕら、１９９５； Ｃｈｕら、１９９７）、または自己および同種骨髄由来の間充織幹細胞（Ｗａｋａｔｉｎｉら、１９９４； Ｂｕｔｎａｒｉｕ−Ｅｐｈｒａｔ、１９９６； Ｃａｐｌａｎら、１９９７； Ｎｅｖｏら、１９９８）を大量に関節欠損部に導入することによって軟骨の修復を促進することができるためである。細胞移植のアプローチには、他の軟骨修復技術に比べて以下のようないくつかの可能性のある利点がある：１）軟骨および骨の追加の損傷を最低限に押さえること、２） エクスビボの細胞生産によってドナーへの依存を低減すること、３） 軟骨発生の自然の生物過程を模倣できること、および４） より良い修復のために好適なタイプの細胞を提供できること。自己軟骨を用いた１つの技術は、公知の分野ものであり、市販され、数千人の米国およびスウェーデンの患者に使用されている（ｈｔｔｐ：／／ｗｗｗ．ｇｅｎｚｙｍｅ．ｃｏｍ）。この技術では、非加重部分の軟骨生検から軟骨細胞を単離し、数週間増殖させ、患者の頚骨から採取した縫合されフィブリンシールされた骨膜パッチの下に注入することによって軟骨病変部に再導入する。その有効性に関する知識には疑問が持たれ（ＭｅｓｓｎｅｒおよびＧｉｌｌｑｕｉｓｔ、１９９６； Ｂｒｉｔｔｂｅｒｇ、１９９７； Ｎｅｗｍａｎ、１９９８）、ＦＤＡに要請された制御型無作為化臨床試験が完了していないため、あいにく不明である。最近の動物試験では、注入された継代された自己軟骨は観察される治癒にはほとんど貢献しておらず、転帰は骨髄刺激を用いて得られたものと類似していることを示している（Ｂｒｅｉｎａｎら、１９９７およびＢｒｅｉｎａｎら、２０００）。したがって、この手技でも、欠損部の手術の準備が、修復を誘導した主な要素になっている可能性がある。それにもかかわらず、細胞移植の潜在的な大きな利点のために、過去２年間、すべて軟骨修復に使用するための、自己軟骨処理（Ｔｕｂｏら、特許第５，７２３，３３１号、１９９８； Ｖｉｌｌｅｎｅｕｖｅ、特許第５，８６６，４１５号、１９９９）、および脂肪細胞の使用と調製（ＭｕｅｌｌｅｒおよびＴｈａｌｅｒ、特許第５，８３７，２３５号、１９９８； Ｈａｌｖｏｒｓｅｎら、欧州特許番号第１ ０７７ ２５３号、２００１）、造血前駆細胞（ＰｅｔｅｒｓｏｎおよびＮｏｕｓｅｋ−Ｇｏｅｂｌ、特許第６，２００，６０６号、２００１）、羊膜細胞（Ｓａｃｋｉｅｒ、１９９７）、間充織幹細胞（ＣａｐｌａｎおよびＨａｙｎｅｓｗｏｒｔｈ、特許第５，８１１，０９４号、１９９８； ＮａｕｇｈｔｏｎおよびＮａｕｇｈｔｏｎ、特許第５，７８５，９６４号、１９９８； ＮａｕｇｈｔｏｎおよびＷｉｌｌｏｕｇｈｂｙ、特許第５，８４２，４７７号、１９９８； ＧｒａｎｄｅおよびＬｕｃａｓ、特許第５，９０６，９３４号、１９９９； ＪｏｈｎｓｔｏｎｅおよびＹｏｏ、特許第５，９０８，７８４号、１９９９）、および軟骨細胞／線維芽細胞およびその祖先、上皮細胞、脂肪細胞、胎盤細胞および臍帯血細胞を用いる一般的技術（Ｐｕｒｃｈｉｏら、特許第５，９０２，７４２号、１９９９）の局面を保護するために、多数の特許が付与されてきた。
【００１０】
７） 細胞送達の問題
軟骨修復の援助のための細胞移植には、損傷部位に生存可能で機能的な移植細胞を送達および保持する技術が必要である。細胞がエクスビボで支持体マトリックスありまたはなしで増殖する場合には、欠損部よりもわずかに大きなインプラントを調製し、それを押し込むことによってプレスフィット（ｐｒｅｓｓ−ｆｉｔｔｉｎｇ）が可能なことがある（ＡｓｔｏｎおよびＢｅｎｔｌｅｙ １９８６； Ｗａｋａｔｉｎｉら、１９８９； Ｆｒｅｅｄら、１９９４； Ｃｈｕら、１９９７； Ｆｒａｎｋｅｌら、１９９７； Ｋａｗａｍｕｒａら、１９９８）。プレスフィットにはエクスビボで形成された組織の使用が必要なので、それが移植される部位の幾何学的、物理的および生物学的要素に最適化されているわけではない。インプラントを縫合およびタッキングすると保持の助けになるが（ＳａｍｓおよびＮｉｘｏｎ、１９９５）、縫合は関節表面に対するさらなる損傷となり、さらなる限定的修復過程を誘導することが知られている（Ｂｒｅｉｎａｎら、１９９７）。生物糊の試みは、限定的な成功しか収めなかった（Ｋａｎｄｅｌら、１９９５； Ｊｕｒｇｅｎｓｏｎら、１９９７）。収縮するコラーゲンゲルまたはフィブリン塊のようにインプラントがプレスフィットできない場合、または支持体マトリックスなしに細胞のみが移植される場合には、欠損部内に移植材料を保持するために、骨膜または別の類似した組織の縫合されたパッチがしばしば使用される（Ｇｒａｎｄｅら、１９８９； Ｂｒｉｔｔｂｅｒｇら、１９９４； Ｇｒａｎｄｅら、１９８９； Ｂｒｉｔｔｂｅｒｇら、１９９６； Ｂｒｅｉｎａｎら、１９９７）。そのような技術は、骨膜の持つ軟骨形成を刺激する能力の恩恵を受ける可能性があるが（Ｏ’Ｄｒｉｓｃｏｌｌら、１９８８および１９９４）、やはり縫合を導入し、さらに骨膜の採取および関節切開を含む複雑な種類の操作が必要となるという問題がある。粘性のあるヒアルロン酸溶液を用いて、深い全層欠損にも細胞が送達された（Ｒｏｂｉｎｓｏｎら、１９９０； Ｂｕｔｎａｒｉｕ−Ｅｐｈｒａｔ、１９９６）。軟骨修復の細胞供給源については、軟骨修復の送達手段の特許が最近いくつか公開されており、これにはゲルマトリックス（Ｇｒｉｆｆｉｔｈら、１９９８； Ｃａｐｌａｎら、１９９９）、縫合および線維（Ｖａｃａｎｔｉら、１９９８； ＶａｃａｎｔｉおよびＬａｎｇｅｒ、１９９８ａおよび１９９８ｂ）、スクリュータイプの装置（Ｓｃｈｗａｒｔｚ、１９９８）、および磁気システム（Ｈａｌｐｅｒｎ、１９９７）がある。以上を合わせると、軟骨修復のための現在の細胞送達技術は、明らかに最適なものではない。望ましい細胞送達手段は、細胞を含むポリマー性溶液で、欠損部に注入されると固体化し、欠損部に接着および充填し、適切な細胞分化、ならびに密度の高い機械的に機能する関節軟骨細胞外マトリックスの合成および集合を行なわせる一時的な生分解性の骨格を提供するものである。
【００１１】
８） 半月板、靭帯、腱、骨、皮膚、角膜、歯周組織、膿瘍、切除した腫瘍、および潰瘍を含む他の組織の修復
筋骨格および他の組織の自然および補助した修復は、数多くの複雑な生物過程を持った広い分野で、修復過程（骨修復のような）を加速し、固有の修復能力をあまり持たない組織（軟骨修復のような）を助け、瘢痕化（熱傷治療のような）を軽減するためには様々なアプローチがある（Ｃｌａｒｋ、１９９６）。関与する生体要素や過程には差が確かにあるものの、（非胎児）創傷治癒における全体的事象は同一である。これには、組織破壊部位での血塊の形成、血小板からの走化性および分裂促進因子の放出、炎症細胞および多分化能性修復細胞の流入、血管化、および最後に修復細胞の分化および細胞外マトリックス成分の合成による修復過程の消散が含まれる。修復が成功する場合には、特定の局所的組織環境および特定の局所的多分化能性修復細胞群により、正しいタイプの組織、骨を置換する骨、皮膚を置換する皮膚等が生じる。組織修復過程の一般的要素が類似していることを考えると、１つの組織で修復を助けるアプローチが、他の組織での修復を助けることに成功しても、驚くべきことではない。この可能性は、修復を助ける方法および組成物が、自然の創傷治癒カスケードのある局面を、このある程度最適化された一連の事象から大きくはずれることなく増大するものであれば、さらに高くなる。本発明では、組織修復部位で、より効果的で接着性があり非収縮性の血塊を提供する特定の組成物および方法が提案される。実施例と好ましい態様は、最も修復の困難な組織の１つである軟骨修復について示されている。しかし、本組成物および方法および同じ基本的原理を持つその改変が、半月板、靭帯、腱、骨、皮膚、角膜、歯周組織、膿瘍、切除した腫瘍、および潰瘍を含む他の組織の修復を助けるために適用されることは、当業者には明らかである。
【００１２】
９） 医薬品、創傷治癒、組織修復、および止血剤へのキトサンの使用
エビおよびカニの甲羅の天然成分であるキチンのアルカリ性脱アセチル化で主に得られるキトサンは、１−４結合のグルコサミン（主に）およびＮ−アセチル−グルコサミンモノマーを含む直線状多糖類のファミリーである（Ａｕｓｔｉｎら、１９８１）。キトサンおよびそのアミノ置換誘導体は、ｐＨ依存性の生分解性（ｂｉｏｅｒｏｄｉｂｌｅ）および生体適合性のカチオンポリマーで、生物医学業界では、創傷治癒および骨誘導（Ｄｅｎｕｚｉｅｒｅら、１９９８； Ｍｕｚｚａｒｅｌｌｉら、１９９３および１９９４）、薬物および遺伝子の送達（Ｃａｒｒｅｎｏ−ＧｏｍｅｚおよびＤｕｎｃａｎ、１９９７； Ｓｃｈｉｐｐｅｒら、１９９７； Ｌｅｅら、１９９８； Ｂｅｒｎｋｏｐ−ＳｃｈｎｕｒｃｈおよびＰａｓｔａ、１９９８）ならびに細胞増殖および細胞被包のための骨格（Ｙａｇｉら、１９９７； Ｅｓｅｒ Ｅｌｃｉｎら、１９９８； Ｄｉｌｌｏｎら、１９９８； Ｋｏｙａｎｏら、１９９８； Ｓｅｃｈｒｉｅｓｔら、２０００； Ｌａｈｉｊｉら、２０００； Ｓｕｈら、２０００）に使用されてきた。キトサンは、イオンおよび疎水性相互作用により胃腸の上皮の粘液層に接着し、経口薬物送達を促進するため、粘膜接着ポリマーと呼ばれる（Ｂｅｒｎｋｏｐ−ＳｃｈｎｕｒｃｈおよびＫｒａｊｉｃｅｋ、１９９８）。キトサンの生分解性は、キチナーゼ（ＦｕｋａｍｉｚｏおよびＢｒｚｅｚｉｎｓｋｉ、１９９７）、リゾチーム（Ｓａｓｈｉｗａら、１９９０）、セルラーゼ（ＹａｌｐａｎｉおよびＰａｎｔａｌｅｏｎｅ、１９９４）、プロテアーゼ（Ｔｅｒｂｏｊｅｖｉｃｈら、１９９６）、およびリパーゼ（Ｍｕｚｚａｒｅｌｌｉら、１９９５）による酵素切断に感受性であるためである。近年、軟骨細胞が、ヒトのキトサナーゼ類似体であるキトトリオシダーゼを発現できることが示された（Ｖａｓｉｏｓら、１９９９）；その生理的役割は、ヒアルロナンの分解である可能性がある。ヒアルロナンは、Ｎ−アセチル−グルコサミンおよびグルクロン酸の二糖で構成されているので、キトサンとある類似性を持つ直線状多糖類である。
【００１３】
キトサンは、皮膚、角膜、および硬組織の修復を刺激するために、いくつかの報告（Ｓａｌｌら、１９８７； ＢａｒｔｏｎｅおよびＡｄｉｃｋｅｓ、１９８８； Ｏｋａｍｏｔｏら、１９９５； Ｉｎｕｉら、１９９５； ＳｈｉｇｅｍａｓａおよびＭｉｎａｍｉ、１９９６； Ｕｅｎｏら、１９９９； Ｃｈｏら、１９９９； Ｓｔｏｎｅら、２０００； Ｌｅｅら、２０００）および発明（ＳｐａｒｋｅｓおよびＭｕｒｒａｙ、特許第４，５７２，９０６号、１９８６； Ｍｏｓｂｅｙ、特許第４，９５６，３５０号、１９９０； Ｈａｎｓｓｏｎら、特許第５，８９４，０７０号、１９９９； ＧｏｕｄａおよびＬａｒｍ、特許第５，９０２，７９８号、１９９９； Ｄｒｏｈａｎら、特許第６，１２４，２７３号、２０００； Ｊｏｒｇｅｎｓｅｎ国際公開公報第９８／２２１１４号、１９９８）で、単独または他の成分と合わせて様々な製剤が提案されてきた。創傷修復過程に最も共通して都合の良いとされるキトサンの性質は、生分解性、接着性、脱水予防、および細菌の侵入に対するバリアである。その他の性質としては、細胞活性化および化学誘引物質としての性質（Ｐｅｌｕｓｏら、１９９４； ＳｈｉｇｅｍａｓａおよびＭｉｎａｍｉ、１９９６； Ｉｎｕｉら、１９９５）、止血活性（Ｍａｌｅｔｔｅら、１９８３； ＭａｌｅｔｔｅおよびＱｕｉｇｌｅｙ、特許第４，５３２，１３４号、１９８５）、およびゆるい顆粒化組織を促進することにより線維増殖および瘢痕化を制限する明らかな能力（ＢａｒｔｏｎｅおよびＡｄｉｃｋｅｓ、１９８８； Ｓｔｏｎｅら、２０００）がある。創傷治癒においてキトサンが有用な効果を持つことについては一般に認められているが、その正確な作用機序は不明で、最も有効な適用方法、すなわち粉末、懸濁液、スポンジ、膜、固相ゲル等も、不明である。作用機序がはっきりしない理由の１つは、以前の研究では、化学的に定義されず（アセチル含量および分布、分子量）、純度も不明なキトサンが使用されたためである可能性がある。キトサンが興味深い止血能力を示すために、移植および創傷部位での出血を低下させるためにキトサンの直接の塗布も行われた（Ｍａｌｅｔｔｅら、１９８３； ＭａｌｅｔｔｅおよびＱｕｉｇｌｅｙ、特許第４，５３２，１３４号、１９８５）。研究の中には、キトサンの止血作用は、これが単に赤血球細胞を凝集させる能力によるものとするものもある（ＲａｏおよびＳｈａｒｍａ、１９９７）が、そのポリカチオンアミンの性質が血小板を活性化し、トロンビンを放出させ、古典的な凝固カスケードを開始すると考え、フィブリノーゲンおよび精製自己血小板と組み合せて止血剤として使用できるとするものもある（Ｃｏｃｈｒｕｍら、特許第５，７７３，０３３号、１９９８）。本発明に関連しては、これらの報告および発明では、血液とキトサンを溶液中で混合して、修復部位で血塊を含むキトサンの形成により組織修復を助けるために治療に使用した任意の例が完全に欠如していることに注意することは重要である。
【００１４】
キトサンにしばしば存在する技術的な問題は、生理的なｐＨおよびイオン強度では溶解度が低いことで、そのために溶液状態での使用には限度がある。したがって、通常はキトサンの溶解は、３．０〜５．６のｐＨの酸性水溶液中でアミン基のプロトン付加によって行われる。そのようなキトサン溶液はｐＨ ６．２付近まで可溶性であるが、ここでアミン基の中和により鎖間の静電的反発が低下し、水素結合の引力、疎水性およびファン・デル・ワールスの相互作用によって６．３から６．４付近のｐＨでポリマーが沈殿する。先行発明（Ｃｈｅｎｉｔｅ国際公開公報９９／０７４１６； Ｃｈｅｎｉｔｅら、２０００）は、キトサンの水溶液にポリオールリン酸二塩基塩（グリセロールリン酸）を混合すると、沈殿を避けつつ溶液のｐＨを上昇させ得る事を開示した。これらの特定の塩の存在下では、かなりの濃度（０．５〜３％）で高分子量（＞数１００ ｋＤａ）のキトサン溶液は、６．８〜７．２の生理的に許容できる中性のｐＨ範囲で、低温または室温で長期にわたり液体状態のままである。この局面は、細胞の生存力を維持しつつ、細胞とキトサンとの混合を容易にする。さらなる重要な性質は、そのようなキトサン／ポリオールリン酸（Ｃ／ＰＰ）水溶液は、適当な温度まで加熱すると固体化またはゲル化するので、キトサン／細胞混合溶液を体内の部位に注入すると、そこで例えばヌードマウスの皮下腔で軟骨小結節が形成される可能性がある（Ｃｈｅｎｉｔｅら、２０００）。他の研究でもキトサンを生理的ｐＨで可溶性の状態に保持したが、これらの研究ではキトサン濃度（ＬｕらＢｉｏｍａｔｅｒｉａｌｓ １９９９では０．１％以下）またはキトサンの分子量および脱アセチル化の程度（Ｃｈｏら、Ｂｉｏｍａｔｅｒｉａｌｓ、１９９９ではそれぞれ〜３５０ ｋＤおよび５０％まで）を低下させる必要があったことに注意することは重要である。他の研究でも、キトサンは軟骨細胞および骨芽細胞の表現型を支持する微小環境を提示することが示されたが（Ｓｕｈら、２０００； Ｌａｈｉｊｉら、２０００； Ｓｅｉｃｈｒｉｓｔら、２０００）、これらの研究は細胞と混合して注入できるような形の液体キトサンに基づくものではなかった。最後に、ＮＮ−ジカルボキシルメチルキトサンスポンジがＢＭＰ７に浸され、ウサギの骨軟骨欠損に入れられた（Ｍａｔｔｉｏｌｉ−Ｂｅｌｍｏｎｔｅ、１９９９）。ここでも、組織化学的および免疫組織化学的転帰のいくらかの改善は見られたが、修復組織による欠損の充填が不完全であること、および欠損内に構築物を保持することが非常に困難であることは、克服できない問題と考えられる。本発明はこれらの問題を克服し、軟骨および他の組織の修復用の組成物の送達のためのいくつかの新規の解決法を提供する。
【００１５】
１０） 先行技術の要約
軟骨修復の補助のための先行技術の要約として、関節軟骨の非常に限られた自然の修復応答を改善するために多くの技術が提案され実験的に検証されたといえる。これらの技術の中には、臨床現場である程度受け入れられたものもあるが、これは主として、一連の骨髄刺激技術が適用された場合に見出されたものと比較して、修復応答を改善する実際的で明らかに有効な方法がないためである。本発明は関節軟骨の修復のために細胞および血液成分を使用する際の主な問題点のいくつかを解決する。有効な軟骨修復手技の開発のための１つの主要な障害は、軟骨の増殖を必要とする空間内で（軟骨欠損または組織のバルキング（ｂｕｌｋｉｎｇ）もしくは組織の再建を必要とする他の部位）、適切な高分子環境を提供する組成物および方法がないことである。この高分子環境またはマトリックスは、１） 活性な生物成分（細胞、蛋白質、遺伝子、血液、血液成分）を液体状態で添加しやすい、２） それから欠損または軟骨増殖を必要とする領域全体を充填するために欠損部位に注入可能である、３） どちらも軟骨細胞表現型（軟骨組織生産性）よりも線維細胞表現型（線維組織生産性）を誘導し、欠損壁からマトリックスも遊離させ得る、細胞接着および細胞を介したマトリックスの収縮を制限するような、主に非蛋白性環境を提供する、４） 細胞適合性で、生理的レベルのｐＨおよび浸透圧を持ち、細胞毒性のある成分がない、５） 分解性ではあるが、含有する生物活性成分が、機械的加重を支持できる軟骨組織を完全に再建できるだけ十分に長時間、分解せずに存在する必要がある。さらに、そのような特性の組み合せは、わずかな改変によって、半月板、靭帯、腱、骨、皮膚、角膜、歯周組織、膿瘍、切除した腫瘍、および潰瘍のような他の組織の修復に適用できることは、当業者には明らかである。
【００１６】
軟骨組織の修復および再生に使用する新しい組成物が提供されることが非常に望ましいと思われる。
【００１７】
発明の概要
本発明の１つの目的は、軟骨組織の修復および再生に使用する新しい組成物を提供することである。
【００１８】
本発明により、軟骨組織または半月板、靭帯、腱、骨、皮膚、角膜、歯周組織、膿瘍、切除した腫瘍、および潰瘍のような他の組織の修復、再生、再建、またはバルキングに使用する組成物が提供される。
【００１９】
本発明により、生体要素と混合して体の部位に置くまたは注入するポリマー溶液の使用も提供されるが、その部位において混合物は組織の修復、再生、再建、またはバルキングを助ける。修復される組織には、軟骨、半月板、靭帯、腱、骨、皮膚、角膜、歯周組織、膿瘍、切除した腫瘍、および潰瘍が含まれるが、これらに限定されるわけではない。
【００２０】
生体要素は、好ましくは自己または非自己由来の血液、血液成分または単離された細胞に基づく。
【００２１】
また本発明により、患者の組織の修復のための方法が提供されるが、この方法は、組成物が組織に接着し、組織の修復のための細胞増殖を支持するように、温度依存性のポリマーゲル組成物を組織に導入する段階を含む。
【００２２】
組成物は好ましくは少なくとも１つの血液成分を含む。
【００２３】
さらに本発明により、患者の組織の修復のための方法が提供されるが、この方法は、組織にポリマー組成物を導入する段階を含み、ポリマー組成物は少なくとも１つの血液成分と混合でき、ポリマー組成物は血液成分と混合されると混合物を形成し、混合物は時間が経つまたは加熱されると非液体状態に変化し、混合物は導入部位に保持されそこに接着し組織の修復を行なう。
【００２４】
ポリマーはキトサン、キチン、ヒアルロナン、グリコサミノグリカン、コンドロイチン硫酸、ケラタン硫酸、デルマタン硫酸、ヘパリン、またはヘパリン硫酸のような修飾または天然の多糖類であり得る。
【００２５】
ポリマー組成物は、可溶性コラーゲンまたは可溶性ゼラチンまたは例えばポリリシンのようなポリアミノ酸のような天然、組換え、または合成蛋白質を含む可能性がある。
【００２６】
ポリマー組成物は、カルボキシル官能基、アミノ官能基、スルホン官能基、ホスホン官能基、ホスフェン官能基を含み、さらに例えばヒドロキシル基、チオール基、アルコキシ基、アリルオキシ基、アシルオキシ基、およびアロイルオキシ基のようなさらなる官能基を含むまたは含まない、ポリ乳酸、ポリグリコール酸、合成ホモコポリマーおよびブロックコポリマーを含む可能性がある。
【００２７】
ポリマー組成物は、好ましくはまず塩化ナトリウム、カリウム カルシウム、マグネシウムリン酸塩、硫酸塩、およびカルボン酸塩のような無機塩を含む緩衝液中に溶解または懸濁される。
【００２８】
ポリマー組成物は、グリセロールリン酸、フルクトースリン酸、グルコースリン酸、Ｌ−セリンリン酸、アデノシンリン酸、グルコサミン、ガラクトサミン、ＨＥＰＥＳ、ＰＩＰＥＳ、およびＭＥＳのような有機塩を含む緩衝液中に溶解または懸濁されてもよい。
【００２９】
ポリマー組成物は、好ましくは６．５と７．８の間のｐＨを持ち、浸透圧は２５０ ｍＯｓｍ／Ｌと６００ ｍＯｓｍ／Ｌの間の生理的値に調節される。
【００３０】
血液成分は、全血、加工した血液、静脈血、動脈血、骨由来の血液、骨髄由来の血液、骨髄、臍帯血、または胎盤血である可能性があるが、これらに限定されるわけではない。さらに赤血球、白血球、単球、血小板、フィブリノーゲン、トロンビン、または血小板に富む無赤血球血漿を含む可能性がある。
【００３１】
血液成分は、クエン酸塩、ヘパリン、またはＥＤＴＡのような抗凝固剤も含む可能性がある。逆に血液成分は、導入部位での凝固／固体化を改善するために、トロンビン、カルシウム、コラーゲン、エラグ酸、エピネフリン、アデノシン二リン酸、組織因子、リン脂質、および第ＶＩＩ因子のような凝固因子のような凝固促進物質を含む可能性がある。
【００３２】
血液成分は、自己または非自己でよい。
【００３３】
ポリマー組成物は、好ましくは血液成分に対して１：１００から１００：１の種々の比で使用される。
【００３４】
ポリマー組成物および血液成分は、好ましくは音波、撹拌、ボルテックス、またはシリンジを何度も通過させることによって機械的に混合される。
【００３５】
修復または再生されうる組織は、例えば、軟骨、半月板、靭帯、腱、骨、皮膚、角膜、歯周組織、膿瘍、切除した腫瘍、および潰瘍を含むがこれらに限定されるわけではない。場合によっては、体内の導入部位は異常な組織を除去するために外科的に準備される。そのような手技は、隣接組織領域または血管化領域への穴開け、剥離、または穿孔により、ポリマー成分が修復を必要とする部位へ移動するためのチャネルを形成することによって実行されうる。
【００３６】
さらに本発明により、インビボで組織の修復または再生をするための細胞の送達に使用するキトサン溶液が提供される。キトサン溶液は０．５〜３％ｗ／ｖのキトサンを含み、熱でゲル化するよう調製され、溶液は修復または再生する組織に注入される前に細胞と混合される。溶液は例を挙げるとえばリン酸塩、グリセロールリン酸またはグルコサミン等でこれらの添加によって、熱でゲル化するように誘導される。好ましくは、キトサン溶液は６．５から７．８の間のｐＨを持つ。
【００３７】
細胞は例えば、初代細胞、継代細胞、選択された細胞、血小板、間質細胞、幹細胞、および遺伝的に改変された細胞からなる群より選択される場合がある。好ましくは、細胞は、ヒアルロン酸、ヒドロキシエチルセルロース、コラーゲン、アルギン酸塩、または可溶性ポリマーのような担体溶液中に懸濁される。
【００３８】
本発明により、インビトロでの細胞培養に使用するゲル化するキトサン溶液も提供される。キトサン溶液は、０．５〜３％ｗ／ｖのキトサンを含み、熱でゲル化するように調製されており、この溶液は培養前にインビトロで細胞と混合される。
【００３９】
好ましくは、ポリマー組成物は、平均分子量が１ ｋＤａから１０ Ｍｄａの間の０．０１％と１０％ｗ／ｖの間の２０％〜１００％脱アセチルキトサン、および血液成分を含む。
【００４０】
本発明により、組織の修復に使用するポリマー組成物およびその使用がさらに提供される。この組成物は、組織修復の治療薬の製造にも使用され得る。
【００４１】
本発明の目的のため以下のように用語が定義される。
【００４２】
「ポリマー」または「ポリマー溶液」という用語は、本出願では互換性があり、ポリマー溶液、ポリマー懸濁液、ポリマー粒子または粉末、およびポリマーミセル懸濁液を意味するがこれらに限定されるわけではない。
【００４３】
軟骨および他の組織に関する「修復」という用語は、組織の修復、再生、再建、またはバルキングを意味するが、これらに限定されるわけではない。
【００４４】
詳細な説明
血液または血液成分と混合された場合、ポリマーは水溶液または水性懸濁液、または粒子状であり得るが、ポリマー調製物の基本的な特性は、１） 血液または血液の選択された成分と混合可能であること、２） 得られた混合物は、組織の修復、再生、再建、またはバルキングを必要とする体内の部位に、注入可能または添加することができる、および３） 混合物は添加された部位における組織の修復、再生、再建、またはバルキングに有用な効果を持つ。
【００４５】
好ましい態様は実施例５で示され、天然多糖類であるキトサンの溶液が、ｐＨ ６．８で、０．１３５モル／Ｌグリセロールリン酸二ナトリウム緩衝液中で１．５％ ｗ／ｖの濃度で使用された。この溶液はポリマー溶液１対血液３の割合で、ウサギ末梢血と混合された。ポリマー／血液混合物は、外科的に調製されたウサギの関節軟骨欠損に注入され、５分以内に固体化する（図２２）。治癒過程の組織学的観察では、修復が刺激され、６〜８週間後に硝子軟骨の形成が見られた（図２４）。ポリマー／血液混合物を注入しなかった対照の欠損では、不完全な治癒または機能しない線維性または線維軟骨性の組織を伴う治癒であった（図２４）。この例は、ポリマー／血液混合物の使用は、創傷部位で単に出血を誘導するよりも、効果的な治癒および修復組織のより良い機能性が得ることができることを示す。本発明のささいな改変は、当業者には明らかである。前段落に説明する３つの特性を保持するかぎり、他のポリマーおよびポリマーまたはポリマー混合物の他の配合で、キトサン溶液を置き換えてもよい。また明らかに、この手法は、半月板、靭帯、腱、骨、皮膚、角膜、歯周組織、膿瘍、切除した腫瘍、および潰瘍のような軟骨以外の組織の修復にも適用できる。組織のバルキングおよび再建における用途も明白である。
【００４６】
以下を含む本発明の考えうる作用機序を開示するために実施例および証拠を提示する：１） 固体化の前に血液とポリマーを混合することによる、典型的な血小板を介した血塊の収縮の阻害（図１７）、２） 結果として維持される完全な容積の骨格および組織修復のためのより良い欠損充填（図１８）、３） 固体化したポリマー／血液混合物の周辺組織への接着（図２２Ａ）、４） 単純な血塊と比較して、走化性および分裂促進蛋白質因子のポリマー／血液混合物からのよりゆっくりした放出（図２１）、５） ポリマー／血液混合物における白血球および血小板の生存力の維持（図２０）、および６） 純粋に蛋白質性のマトリックスよりも軟骨形成を促進する、修復部位における多糖類環境の提供（図２〜６，８〜１０，２４）。これらの現象は、本発明者らの実施例で起きることが示されている。しかし、これらを示したからといって、ポリマーの細胞分解の動態、およびキトサンによる内因性因子の結合／濃縮のような他の重要な事象が起きる可能性を否定するものではない。
【００４７】
本発明の第２の好ましい態様は実施例１および２に示されており、マウスの皮下領域またはインビトロの培養チェンバーに初代軟骨細胞を送達するために、熱でゲル化するキトサン溶液が使用された。この場合、血液成分がないために、キトサン溶液のみでゲル化能力が必要となり、この性質はグリセロールリン酸および他の類似した緩衝液を用いるキトサン溶液の特定の調製法によって得られる。本発明者らの実施例では、ポリマー溶液を細胞と混合し、ポリマー／細胞溶液をインビボまたはインビトロで注入すると、そこで細胞の機能と生存力を維持しながら溶液がゲル化できることを示している（図１〜１１）。細胞はキトサン溶液との混合前に、生理的緩衝液、または等張緩衝液中のセルロースのような他の細胞担体懸濁液に再懸濁できる。本発明者らはこのポリマー溶液とともに初代軟骨細胞が注入された場合に、インビトロ（図２〜６）およびインビボ（図８〜１１）で軟骨組織が形成されることを示すデータを示している。本発明のこの態様のささいな改変および延長も当業者に明らかで、同じ結果を得るために別の種類の細胞が使用されたり、キトサンおよび緩衝液の濃度が変更されてもよい。
【００４８】
本発明は以下の実施例に言及することでより容易に理解されるが、これらは本発明の範囲を限定するのではなく説明するために提供される。
【００４９】
実施例１
軟骨のインビトロ増殖のための、熱でゲル化するキトサン溶液と初代軟骨細胞の混合
ＨＣｌ塩粉末としてのキトサン（０．２２ｇ、８５％脱アセチル化）は、層流フード中で紫外線照射を行い滅菌し、７．５ ｍｌ Ｈ２Ｏに溶解して５．０付近のｐＨになった。Ｄ（＋）−グルコサミン（０．２１５ｇ、ＭＷ ２１５．６）は１０ ｍｌの０．１ Ｍ ＮａＯＨに溶解し、孔サイズ２２μｍのディスクフィルターで濾過滅菌した。グリセロールリン酸（０．８ｇ、グリセロールリン酸１モルあたり４．５モルの水を含めＭＷ ２９７）は２．０ ｍｌ Ｈ２Ｏに溶解し、２２μｍ孔サイズのディスクフィルターで濾過滅菌した。グルコサミン溶液２．２５ ｍｌは滅菌条件で４℃で撹拌しながらキトサン溶液に１滴ずつ添加した。その後グリセロールリン酸溶液１ ｍｌを同じ条件で添加した。この最終溶液は、温度が低く維持されれば、すなわち４℃付近の場合には、まだ液体で、長時間（何日も）液体のままである。この溶液のｐＨは６．８と生理的条件で、浸透圧も３７６ ｍＯｓｍ／ｋｇ−Ｈ２Ｏあたりと生理的条件である。細胞の生存力を維持するために必要な限度内に、これら２つのパラメーターを維持することが非常に重要である。この限度は細胞の種類によって異なるが、一般に６．６ ＜ ｐＨ ＜ ７．８および２５０ ｍＯｓｍ／ｋｇ−Ｈ２Ｏ ＜ 浸透圧 ＜ ４５０ ｍＯｓｍ／ｋｇ−Ｈ２Ｏである。１５０ ｍｇヒドロキシエチルセルロース（Ｆｌｕｋａ）および６ ｍｌ ＤＭＥＭ（ダルベッコ改良イーグル培地）を溶解し、２２μｍ孔サイズのディスクフィルターで濾過滅菌して溶液が調製される。細胞ペレットは２ ｍｌのヒドロキシエチルセルロース−ＤＭＥＭ溶液に再懸濁し、キトサン−グリセロールリン酸溶液と混合する。陰性対照として、細胞を含まないヒドロキシエチルセルロース−ＤＭＥＭ溶液２ ｍｌと混合したキトサン溶液が作製された。この溶液を３７℃に加熱すると、以前の発明（Ｃｈｅｎｉｔｅら、国際公開公報第９９／０７４１６号）に開示されている熱ゲル化溶液に類似した固体のヒドロゲルに転換する。非常に重要なことは、この以前の発明は、このキトサン溶液中の熱ゲル化過程を通して細胞の生存力が維持されることを示さなかったために、細胞の送達、組織の修復および組織の再生のためにこのキトサン溶液を使用することを可能にしなかったことである。
【００５０】
４℃で液体状態の上記の溶液を、酵素で単離した初代軟骨細胞（Ｂｕｓｃｈｍａｎｎら、１９９２）と混合し、プラスチックの培養皿に注いだ（図１Ａから１Ｆ）。図１Ａでは、４℃で細胞のペレットがこの液体キトサンゲル溶液に再懸濁および混合（図１Ｂ）される。図１Ｃおよび１Ｄでは、液体溶液を組織培養ペトリ皿に注ぎ、３７℃で３０分間固体化した後、細胞を含んだ固体ゲルをＤＭＥＭで洗い、生検パンチを用いてディスクを切り出した。図１Ｅでは、４８ウェルのプレート中に１０００μｍ孔のメッシュグリッドが置かれた。図１Ｆでは、細胞を含んだキトサンゲルディスクが個々のウェルで培養された。
【００５１】
３７℃で２０分インキュベーションすると細胞を含んだゲルが形成された。生検パンチを用いて、直径６ ｍｍ、厚さ１ ｍｍのディスクをゲルから切り出し、最高３週間培養された。ディスクは、全ての表面に培地が接触するように下に無菌ナイロンの１０００μＭメッシュのある４８ウェルの組織培養プレートで別々に培養された。被包された細胞の９０％以上が、被包直後および培養期間全体にわたって生存していた（図２Ａ〜２Ｃ）。試料は、生細胞（緑）と死細胞（赤）を示すために、カルセインＡＭおよびエチジウムホモダイマー−１中でインキュベートされた。新しく単離された軟骨細胞（図２Ａ）は、ゲルに被包され、固体化し、直後（図２Ｂ）またはゲル中で２０日間培養された後に（図２Ｃ）、生存率を調べた。図２Ｃは、は、ゲルの中央から得られた、典型的な軟骨細胞の形態を持つ細胞を示す。
【００５２】
Ｒａｔ−１、ＣＯＳ、２９３Ｔ、および脱分化したウシ関節軟骨を含む、数種類の別個の細胞が、被包および細胞培養後に同じような高度の生存率を示し、これはゲル化過程でも細胞の生存力が維持され、したがって注入によりインビボに細胞を送達するためにこの過程が使用できることを確認するものである。２２日間培養した細胞を含むゲルのトルイジンブルー染色では、被包された初代軟骨細胞を取り巻く異染性のリングが観察され、これはプロテオグリカンまたはＧＡＧの蓄積を示すが、これは密接した細胞間の融合の始まりであった（図３Ｄ）。これらの領域は、アグリカン、ＩＩ型コラーゲンおよびリンク蛋白質に対する抗体でも、染色された。キトサンゲルマトリックスは、トルイジンブルーに結合することも分かった（図３Ｃ）。この性質によって、アルデヒド固定後に、ゲルの格子構造を観察することができた。興味深いことに、軟骨細胞の周りに観察されたＧＡＧの細胞周囲リングには、キトサンマトリックスはほとんど含まれておらず、これは軟骨細胞を生産する因子によって分解されてしまったと考えられる（図３Ｄ）。初代子ウシ軟骨は、１ ｍｌあたり初代子ウシ軟骨細胞２ ｘ １０７の濃度でキトサンゲル中に被包され、６ ｍｍディスクとして最大２０日間培養された。初代子ウシ軟骨細胞は、２％アガロース中に被包および培養し、平行して解析した。アガロースゲル培養（図３Ａおよび３Ｂ）およびキトサンゲル培養（図３Ｃおよび３Ｄ）について、０日および２０日目の培養物のパラフィン切片作製およびトルイジンブルー染色を行った。０日目には、核は濃い青に染色されたが（図３Ａおよび３Ｃ）、蓄積した細胞周囲ＧＡＧは異染性の青紫に染色された（図３Ｂおよび３Ｄ、大きな矢印）。これらの細胞周囲領域は、アグリカン、ＩＩ型コラーゲン、および軟骨リンク蛋白質について免疫陽性であった。図３Ｅの４０ｘの倍率で、ＤＭＭＢアッセイ法を用いた培養物の０日、１４日、および２０日に見られるＧＡＧの定量的生化学分析によって、アガロースゲルと比較してキトサンゲル中でもＧＡＧの同様な蓄積があることが示された。
【００５３】
被包された軟骨細胞で発現するＩＩ型コラーゲンおよびアグリカンｍＲＮＡのＲＮＡ解析では、軟骨中の関節軟骨細胞で観察されるレベル（図４、レーン６）に相当する高いレベルが１４日および２２日に（図４、レーン４および５）観察された。ウシＩＩ型コラーゲン、アグリカン、およびＧＡＰＤＨに相補的なアンチセンス３２Ｐ−標識ＲＮＡプローブの混合物が、ｔＲＮＡ（レーン１）、またはウシ腎臓（レーン２）、キトサンゲルで０日（レーン３）、１４日（レーン４）、もしくは２０日（レーン５）培養された初代軟骨細胞（１０７／ｍｌ）、もしくは成体ウシ関節軟骨（レーン６）の全ＲＮＡとハイブリダイズされた。試料はＲＮａｓｅ ＡおよびＴ１で処理され、電気泳動およびオートラジオグラフィーが行われた。個々の転写物の存在を示す保護されたバンドは、示されたようになっている。キトサン／グリセロールリン酸ゲル中で軟骨細胞表現型が維持されることは、アグリカンおよびＩＩ型コラーゲンの発現が継続されることによって示されている。
【００５４】
被包された細胞によって生産される蛋白質のウェスタン解析で、２週間と３週間の間の培養で、軟骨マトリックスリンク蛋白質が蓄積することが示された（図５）。総蛋白質を抽出し、ＳＤＳ−ＰＡＧＥで分離し、ビメンチン、ＰＣＮＡ、ＩＩ型コラーゲンのＣプロペプチド、または軟骨リンク蛋白質を認識する抗血清を用いて免疫ブロットした。解析した試料には、細胞なしのキトサンゲル（レーン１）、ウシ腎臓（レーン２）、０日目（レーン３および４）、１４日目（レーン５および６）、または２０日目（レーン７および８）におけるキトサンゲル中で培養された初代軟骨細胞（１０７／ｍｌ）の重複する試料、２週間の子ウシ関節軟骨（レーン９）、または成体ウシ軟骨（レーン１０）が含まれる。結果は、１４日目および２０日目に軟骨特異的蛋白質ＣＰ２およびリンク蛋白質が蓄積し、細胞増殖のマーカーであるＰＣＮＡ発現が２０日目まで継続していることを示す。
【００５５】
初代ウシ関節軟骨細胞を含むディスクが、一軸非限定圧縮応力緩和試験を用いて、培養４日目および１３日目に、機械的に評価された。細胞を含まない対照ゲルと比較して、４日目にすでにかなりの細胞に依存した度合いの硬化が観察され、１３日目にはさらに著しくなった（図６）。培養４日、１３日、および１９日目のディスク（直径〜５ ｍｍ）は、１０秒間ディスクの厚み（〜１．５ ｍｍ）の１０％の湾曲を５回かけ、その後の応力緩和の間にその変位を保持することによる（グラフには１０〜２０％の２回目の湾曲が示されている）、非限定圧縮において機械的に調べられた。細胞を含まないゲルディスクは、弱い振る舞いを示したが、細胞を含むゲルは培養時間が経つに連れ明らかに硬くなり、関節軟骨のようなより特徴的な粘弾性を持つようになった。
【００５６】
複合多孔質弾性モデル（ｃｏｍｐｏｓｉｔｅ ｐｏｒｏｅｌａｓｔｉｃ ｍｏｄｅｌ）（Ｓｏｕｌｈａｔら、１９９９）を用いてこれらのデータを解析すると、非繊維マトリックス率の倍増が見られ（２．５？ ５ｋＰａ）、線維マトリックス率の５？の増加（１００？ ５００ｋＰａ）、ならびにインビトロでのわずか１３日の培養によって存在するゲル中の初代軟骨細胞のために水圧の透過性の１００？近い低下（５？ ０．０８ ？ １０−１２ Ｎ−ｓ／ｍ４）も見られた。以上を合わせると、これらの結果は、キトサンゲルが細胞適合性および細胞分解性で、軟骨細胞の表現型の維持を促進し、インビトロでは機械的剛性を大きく上昇させる新軟骨マトリックスの生産を行なわせることを示す。
【００５７】
実施例２
熱でゲル化するキトサン溶液と初代軟骨細胞の混合および軟骨のインビボ増殖のための皮下注入
このインサイチューゲル化システムが動物で使用できることを示すために、無胸腺マウス（ＣＤ１ ｎｕ／ｎｕ）に、実施例１に記述された１ ｍｌあたり１０００万の子ウシ関節軟骨細胞を含むキトサンゲルを１００μｌから３００μｌ背側皮下注射した（図７）。初代子ウシ軟骨細胞のペレットを４℃で液体キトサンゲルと混合し、１〜２ ｘ １０７細胞／ｍｌの濃度にし、１００μｌの皮下背側インプラントとして液体の状態で麻酔したヌードマウスに注射した。注射後５〜１０分で、触診によりインサイチューのゲル化は明らかだった。
【００５８】
対照マウスには、キトサンゲルのみを同様に注射した。注射後１０分以内に触診可能なゲルが形成された。インプラントは注射後２１日目、４８日目、および６３日目に回収された。トルイジンブルー染色により、細胞を含むインプラントによってＧＡＧに富む細胞外マトリックスの著しい生産が明らかになった（図８Ａ）。キトサンゲルのみのインプラントでは、ＧＡＧの蓄積は見られなかった（図８Ｂ）。液体キトサンゲル中の２ ｘ １０７細胞／ｍｌの初代子ウシ軟骨細胞は、１００μｌの皮下背側インプラントとして液体の状態で麻酔したヌードマウスに注射した。対照マウスには、液体のキトサンゲルのみの皮下背側インプラント１００μｌを注射した。注射の４８日後、インプラントを採取し、パラフィン組織学およびトルイジンブルー染色を行なった。異染性の紫色の染色は、軟骨細胞を含むインプラント中のＧＡＧの蓄積を示す（図８Ａ）。キトサンゲルのみのインプラントでは、ＧＡＧの蓄積は検出されなかった（図８Ｂ）。
【００５９】
軟骨細胞特異的ｍＲＮＡ発現である、ＩＩ型コラーゲンおよびアグリカンは、注射の４８日後に初代軟骨細胞を含むインビボインプラント中に検出された（図９）。
【００６０】
キトサンゲルのみのインプラントでは、ＩＩ型コラーゲンもアグリカンの発現も検出されなかった（図９）。ウシＩＩ型コラーゲン、アグリカン、およびＧＡＰＤＨに相補的なアンチセンス３２Ｐ−標識ＲＮＡプローブの混合物が、ｔＲＮＡ（レーン１）、またはウシ腎臓（レーン２）、４８日目のキトサンゲルのみのインビボヌードマウスインプラント（レーン３）、もしくは４８日目の２ ｘ １０７細胞／ｍｌで初代軟骨細胞を含むキトサンゲルのインビボインプラント（レーン４）、もしくは成体ウシ関節軟骨（レーン５）の全ＲＮＡとハイブリダイズされた。試料はＲＮａｓｅ ＡおよびＴ１で処理され、電気泳動およびオートラジオグラフィーが行われた。個々の転写物の存在を示す保護されたバンドは、示されたようになっている。キトサン／グリセロールリン酸ゲル中で軟骨細胞表現型がインビボで維持されることは、アグリカンおよびＩＩ型コラーゲンの発現によって示されている。
【００６１】
初代軟骨細胞を含むインビボインプラントで、注入後４８日および６３日に、軟骨特異的蛋白質が検出された（図１０）。キトサンゲルのみのインプラントには、軟骨特異的蛋白質は検出されなかった（図１０）。総蛋白質を抽出し、ＳＤＳ−ＰＡＧＥで分離し、ビメンチン、ＰＣＮＡ、ＩＩ型コラーゲンのＣプロペプチド、または軟骨リンク蛋白質を認識する抗血清を用いて免疫ブロットした。解析した試料には、細胞なしのキトサンゲル（レーン１）、ウシ腎臓（レーン２）、６３日目におけるキトサンゲルのみのインビボヌードマウスインプラント２つ（レーン３および４）、４８日（レーン５）もしくは６３日（レーン６）における２ ｘ １０７子ウシ軟骨細胞／ｍｌゲルを含むキトサンゲルのインビボインプラント、２週間の子ウシ関節軟骨（レーン７）、または成体ウシ軟骨（レーン８）が含まれる。結果は、軟骨細胞を含むキトサンゲルインプラントのみに、軟骨特異的細胞外マトリックス蛋白質ＣＰ２およびリンクが蓄積することを示す。頭字語のＰＣＮＡは「増殖性細胞核抗原」を意味する。ＣＰはＩＩ型コラーゲンＣプロペプチド、リンクは軟骨リンク蛋白質を指す。
【００６２】
細胞を含まないインビボインプラントは糊のような粘稠度だったが、細胞を含むインプラントは、３〜５ ｍｍのディスクを切り出し、機械的試験を行なうと、細胞のないインビトロディスクでは見られない高度な機械的剛性が見られた（図１１）。これらのデータは、熱でゲル化するキトサン溶液を担体として、注入によって軟骨細胞をインサイチューに送達できることを示す。注入された軟骨細胞は生存力を持ち続け、プロテオグリカンに富む細胞外マトリックスをかなり合成および集合させ、これは時間が経つと硬化して機能的な軟骨組織を形成する。図１１では、液体キトサンゲル中の２ ｘ １０７／ｍｌの初代子ウシ軟骨細胞が、麻酔ヌードマウスに１００μｌの皮下背側インプラントとして液体状で注入された。対照マウスには、液体キトサンゲルのみの皮下背側インプラント１００μｌが注入された。注入後４８日に、インプラントが採取された。キトサンゲルのみのインプラントは糊のような堅さで、機械的試験ができなかった。初代軟骨細胞を含むインプラントは軟骨のような性状で、インプラントの中央から３ ｍｍの生検を切り出し、２．５％の厚さの圧縮、０．０５ｇ／分の緩和基準を用いて、非制限圧縮で試験した。細胞を含む４８日のインプラントの２０％および５０％圧縮オフセットでの平衡係数が、４２日間インビトロで放置した対照ディスクと比較し示されている。インビボで増殖した軟骨細胞を含むゲルは、機能的な軟骨マトリックスの合成および集合のために、４８日間にかなりの機械的剛性を生じた（図８Ａ）。
【００６３】
実施例３
軟骨および骨表面への熱でゲル化するキトサン溶液の接着
軟骨修復のための熱でゲル化するこのキトサン製剤の最大の利点の１つは、組織の修復、再生、再建、またはバルキングが必要な、不揃いの軟骨欠損または他の不揃いの形をした腔に適合し、接着する能力である。多くの現在の組織修復手技に、この点で厳しい問題がある。細胞を含まないキトサン−グリセロールリン酸液体ゲルは、ブタ大腿骨顆軟骨内（骨を含まない）欠損に、エクスビボで送達された。関節軟骨のディスク型の欠損は、生検パンチを用いて作製され（図１２Ａ）、実施例１に記述されるキトサン溶液がこれらの欠損に注入され、３７℃のインキュベーター中で固体化された。接合する軟骨表面を向かい合わせ、関節の動きのシミュレーションを行なったが、その後もゲルは軟骨欠損中に留まることが観察された（図１２Ｂ）。ゲルは欠損内に留まったのみならず、周囲の骨および軟骨表面に接着し、収縮しなかった。図１２Ａおよび１２Ｂでは、液体キトサンゲルを直径６ ｍｍの全層軟骨欠損に入れ（図１２Ａ）、加湿したインキュベーター中で、３７℃で３０分固体化した。その後、関節を閉じ、数分間、関節の動きのシミュレーションをした。関節の動きのシミュレーション後に、キトサンゲルは全ての欠損に接着し、保持されていた（図１２Ｂ）。
【００６４】
ウサギの膝蓋溝で軟骨内欠損のインビボ充填も行われた。顕微手術用メスを用いて、軟骨を堅い石灰化軟骨層までそぎ取ることにより、長方形（４ ｍｍ ｘ ５ ｍｍ）の欠損が作製された。１６ゲージの針を用いて、いくつかの微小破壊穴が作製された。実施例１に記述された熱でゲル化するキトサン溶液がこの欠損に注入され、５分間固体化し（図１３Ａ）、ウサギの膝関節が縫合された。ウサギは自由に歩行させ、翌日、安楽死させて、治療した膝関節の組織学的解析が準備された（図１３Ｂ）。生きたニュージーランドホワイトウサギが麻酔され、大腿膝蓋溝の滑車に３ ｘ ４ ｍｍの軟骨のみの欠損が作製された。１６ゲージの針を用いて、いくつかの微小破壊穴が作製された。液体状の熱でゲル化するキトサンが欠損に添加され、インサイチューで５分間ゲル化された（図１３Ａ）。関節を閉じ、ウサギは２４時間動きを制限せずに回復させ、その後に屠殺して関節の切開を行なった（図１３Ｂ）。
【００６５】
組織学的解析（図１４）では、ウサギの非常に薄い軟骨層（厚さわずか約０．８ ｍｍ）にこの熱でゲル化するキトサンゲルが保持されていることが示された。ゲルは周囲の骨および軟骨組織に強く接着し、良く保持されることを示し、したがって、軟骨および他の組織の修復のための注入可能な熱でゲル化するポリマー送達手段として使用できる。図１３Ｂで示される関節および欠損（熱でゲル化するキトサンで充填され、インビボで２４時間滞留）を固定し、ＬＲホワイトプラスチック樹脂に包埋し、切片を作製し、トルイジンブルーで染色した。欠損の断面では、キトサンゲルがインサイチューに保持され、欠損の軟骨および骨表面に接着することが示される。
【００６６】
実施例４
血液／ポリマー混合物の調製、混合、およびインビトロ固体化
血液と水性ポリマー溶液とを混合するために、いくつかの別個の混合方法が使用された（図１５Ａ）。血液とポリマーはレシピエントにおいて混合され、均一な血液とポリマーの混合液が得られる。
【００６７】
一般に、血液３容に対して等張および等浸透圧溶液の１．５％多糖類１容の割合で混合された。キトサンゲルの場合は、１．５％キトサンは７０ ｍＭ ＨＣｌおよび１３５ ｍＭ ？−グリセロールリン酸中に溶解された。第１の血液／ポリマー混合法では、１本の１ ｃｃ シリンジに７５０μｌの末梢全血を充填し、第２の１ ｃｃシリンジに２５０μｌの液体ポリマー溶液を充填した。シリンジ同士を結合し、均一に見えるまで４０回押したり引いたりして２つの層を混合した。第２の混合方法では、６２５μｌの液体ポリマー溶液を、いくつかの３ ｍｍ〜６ ｍｍスチールボールを入れた２．０ ｍｌクリオバイアル（Ｃｏｒｎｉｎｇ）中に添加した。クリオバイアルを１．８７５ ｍｌの全血で充填し、キャップをねじ込み、バイアルを１０秒間激しく振った。第３の混合方法では、２ ｍｌの液体ポリマー溶液を１２ ｍｌの無菌ホウケイ酸ガラスバイアル（ＩｎｔｅｒＧｌａｓｓ ５ ｃｃ血清バイアル）に入れた。ゴムのストッパーと金属のクリンパーでバイアルを閉じ、１０ ｍｌシリンジおよび２０ゲージ針を用いて、バイアルに２５ ｍｌ 空気吸引（ａｉｒ ｖａｃｕｕｍ）された。適切な静脈切開技術を用いて、ウサギの動脈、またはヒトもしくはウマの静脈から末梢血が無菌１０ ｍｌシリンジに採取された。２０ゲージの針がシリンジに接続され、バイアルのゴムストッパーを貫通して挿入された。末梢血６ ｍｌがバイアルに添加された。バイアルは全速で１０秒間ボルテックスで混合された。これらの混合技術の後、得られた混合液は、室温の４ ｍｌホウケイ酸ガラスバイアル、３７℃のプラスチックバイアル、またはアガロースウェル（図１５および１５Ｃ）、またはエクスビボの関節軟骨欠損に添加された。対照として、末梢全血のみで同じ処理が行われた。別の対照として、ＣＢＣおよび血小板数の測定のために、ＥＤＴＡ処理した血液がバキュテナバイアル（ｖａｃｕｔａｉｎｅｒ ｖｉａｌ）で採取された。検査された全ての血液試料は、各々の種の正常なＣＢＣおよび血小板数を示した。種に無関係に、調製された血液／ポリマーは混合後２．５〜１８分以内に、固体化してガラスバイアルの壁に強く接着した（図１６）。混合された末梢全血は、血液／キトサンゲルよりも、一般にゆっくりと固体化した（図１６）。液体キトサンゲルありまたはなしの血液試料が混合され、混合してから元の混合バイアルまたは２次レシピエント中で接着性のある固体になるまでにかかる時間（分）として、固体化時間は測定された。
【００６８】
血液／ヒアルロン酸、血液／ヒドロキシエチルセルロース、および血液／アルギン酸塩を含む、さらなる血液／ポリマー溶液の試験によって、これらの混合物も、血液のみに相当する時間で固体化することが示された（図１７Ａ）。ここで、キトサン液体ゲルを末梢全血に混合すると、血塊の形成が促進され、血液／キトサンゲル固体化時間は臨床応用に許容できると結論された。収縮は、ウサギの混合された新鮮な末梢血、またはＰＢＳもしくはグリセロールリン酸緩衝液中のキトサンを含む種々の１．５％多糖類溶液と混合されたウサギ血液で調べられた。混合しない新鮮な血液も解析された。グリセロールリン酸緩衝液中のヘパリン血／キトサンも解析された。各試料５００μｌが３７℃で４ ｍｌガラスチューブに添加された。いくつかの時点で、各チューブから排除された血漿を全て取り出し、計量して、血塊の収縮量を決定した。血液／キトサングリセロールリン酸混合物以外の全ての試料は、元の体積の３０〜５０％に収縮した。血液／キトサン混合物の収縮はわずかで、最初の体積の約９０％が維持された。
【００６９】
凝固した全血に対する、固体化した血液／ポリマー混合物の収縮の程度を調べるために、いくつかの対照を用いて、血液／ポリマー試料のアレイで、血塊収縮試験が行われた（図１７Ａ、１７Ｂおよび１７Ｃ）。対照の１群は、撹拌しない末梢全血、または撹拌した末梢全血、または３：１（体積：体積）でリン酸緩衝生理食塩水と撹拌した末梢全血で構成されていた。これらの試料は、末梢全血の３容に対してＰＢＳに溶解した１．５％の異なる多糖類溶液（アルギン酸塩、ヒドロキシエチルセルロース、またはヒアルロン酸）の１容で撹拌した実験試料と比較された。別の試料は、末梢全血の３容に対して混合した１容のキトサングリセロールリン酸溶液から構成されていた。固体化後１８時間までのいくつかの時点で、各条件で排除された血清が３回通り測定され、収縮の程度の指標とされた。末梢血±ＰＢＳの試料は、元の体積の３０％まで収縮した（図１７Ａ）。多糖類であるアルギン酸塩、ヒドロキシエチルセルロール、またはヒアルロン酸と混合された末梢血は、元の体積の４０〜５０％まで収縮した（図１７Ａ）。血液／キトサンゲル試料の収縮は無視できる程度で、元の体積の９０％まで収縮した（図１７Ａ）。ヘパリン血／キトサンゲル試料も収縮に抵抗し、元の体積の８５％まで収縮した（図１７Ａ）。これらのデータから、血液／キトサンゲルは収縮に抵抗性で、軟骨欠損内でより空間を充填するフィブリン骨格を提供すると結論された。図１７Ｂおよび１７Ｃで示されている試料は、血液（１）、または混合した血液（２）、血液／ＰＢＳ （３）、血液／グリセロールリン酸中のキトサン（４）、ヘパリン血／キトサン（５）、血液／アルギン酸塩（６）、血液／ヒドロキシエチルセルロース（７）、および血液／ヒアルロン酸（８）を示す。
【００７０】
凝固阻害した血液が血液／多糖類インサイチュー固体化インプラントの作製に使用できるかどうかを調べるために、１．５ ｍＭ ＥＤＴＡ、０．３８％クエン酸、酸−０．３８％クエン酸デキストロース、またはヘパリンナトリウム（Ｂｅｃｔｏｎ Ｄｉｃｋｉｎｓｏｎ）で処理した血液３容が、１容のキトサン−グリセロールリン酸溶液と混合された。キトサン−グリセロールリン酸溶液は、ヘパリン（図１８）、ＥＤＴＡ、およびクエン酸を介する凝固阻害を逆行させることができた。グリセロールリン酸中の１．５％キトサン、または３つの異なる１．５％多糖類溶液は、多糖類溶液：末梢全血が１：３の体積比で混合された。各試料５００μｌをホウケイ酸ガラスチューブに添加し、３７℃で６０分間固体化させた。異なる多糖類にはヒアルロン酸−ＰＢＳ （１）、ヒドロキシエチルセルロース−ＰＢＳ （２）、アルギン酸塩−ＰＢＳ （３）、およびキトサン−グリセロールリン酸（４）が含まれている。対照として、ヘパリン血のみが解析された（５）。６０分後に、チューブを水平に置き、写真で記録した。キトサン−グリセロールリン酸とヘパリン血の混合物のみが固体化した。
【００７１】
ヒドロキシエチルセルロース、アルギン酸塩、またはヒアルロン酸を用いた他のヘパリン血／多糖類混合物は固体化しなかった（図１８）。これらのデータから、抗凝固血を用いても血液／キトサンインサイチュー固体化インプラントが作製できると結論された。
【００７２】
固体の血液／ポリマー試料の組織切片は、混合物は均一で、混合または固体化後に赤血球は溶血せず、血小板は活性化され機能した（密なフィブリンネットワークの作製で示される）ことが示された（図１９Ａから１９Ｃ）。血液／キトサンの固体化混合物を固定し、ＬＲホワイトプラスチックに包埋し、切片を作製し、トルイジンブルーで染色した。２０ｘの倍率の図１９Ａでは、全体の均一な混合が明らかである。１００ｘの倍率の図１９Ｂでは、赤血球およびキトサンハイドロポリマーの混合したプールが明らかである。２０００ｘの倍率（環境電子走査顕微鏡）では、血液／キトサン複合物全体にわたって、フィブリン線維のネットワークが存在することが明らかである。
【００７３】
混合および固体化後、何時間かはいくらかの白血球が生存していた（図２０）。末梢全血はキトサンゲルと混合され、固体化した。固体化の６０分後の図２０Ａでは、カルセインＡＭ／エチジウムホモダイマー−１の生存力染色にプラグを入れ、生きた白血球細胞（緑の細胞、大きな矢印）、生きた血小板（緑の細胞、小さな矢印）、および死んだ白血球細胞（赤の核）が明らかになった。図２０Ｂでは、異なる試料を固体化後１８０分において固定し、ＬＲホワイトに包埋し、透過型電子顕微鏡で観察した。細胞の生存力を反映する末梢単球（矢先）による活性な食細胞活動が、混合および固体化の３時間後に、ＴＥＭ顕微鏡写真で明らかである。
【００７４】
固体化後に血液または血液／キトサンから失われた総血清蛋白質の解析が行われた。等量の血液または血液／キトサンゲルが、アガロースウェル中で固体化された。ディスクは、１ ｍｌ ＰＢＳを含む４８ウェルのプレートの個々のウェルに移され、３７℃で３時間インキュベートされた。４時間、５時間、７時間、および１９時間後に、ディスクは引き続いて３７℃の新しいＰＢＳ中に移された。ＰＢＳ洗浄液は軽く遠心して解析前に細胞を除去した。ＰＢＳ中に３時間または１９時間入れた後に、いくつかのディスクから総蛋白質が抽出された。ディスクまたはＰＢＳ洗浄液中に存在する総蛋白質は、ＳＤＳ−ＰＡＧＥおよびシプロオレンジ（Ｓｙｐｒｏ Ｏｒａｎｇｅ）染色による総蛋白質染色で解析した。血清蛋白質は、血液試料に比べて、血液／キトサン試料からよりゆっくりと、より持続的に放出された（図２１）。これらのデータは、創傷治癒に関与する血液および血小板由来蛋白質は、血塊に充填された欠損と比較して、血液／キトサンに充填された欠損から、より持続的に長時間放出されることを示唆する。血液／キトサンゲルまたは血液のみの固体ディスクが元の液体体積が１５０μｌの液体から作製された。得られたディスクは１ ｍｌ ＰＢＳで３時間洗い、４時間、５時間、７時間、および１９時間の時点で移し替え、合計さらに４回１ ｍｌ ＰＢＳで洗った。３時間または１９時間の洗浄後、代表するディスクをＧｕＣｌで抽出して、保持された総蛋白質を可溶化した。可溶性蛋白質を等体積のＧｕＣｌ抽出物またはＰＢＳ洗浄液から沈殿させ、ＳＤＳ−ＰＡＧＥゲルで分離し、シプロオレンジを用いて総蛋白質を染色した。比較すると、１９時間の洗浄期間を通して、血液ディスクよりも血液／ポリマーディスクの方が多くの蛋白質を保持していた。比較すると、１９時間の洗浄期間を通して、血液よりも血液／ポリマーの方が、よりゆっくりと、より長時間にわたって血清蛋白質をＰＢＳ洗浄液に放出した。
【００７５】
実施例５
関節軟骨欠損の治癒を改善するための血液／ポリマー混合物の調製、混合、および注入
肋軟骨下骨へ貫通する軟骨欠損を、液体として送達される液体の末梢血／キトサングリセロールリン酸混合物で処理し、インサイチューで固体化させた（図２２Ａおよび２２Ｃ）。図２２Ａでは、３ ｘ ４ ｍｍの全層軟骨欠損が成体（７ヶ月以上）ニュージーランドホワイトウサギの大腿膝蓋溝に作製された。骨に直径１ ｍｍのマイクロドリル穴を４つ、出血が観察されるまで開けた。図２２Ｂでは、液体の全血を３容の血液、グリセロールリン酸溶液中キトサン１容の割合で混合し、欠損に充填した。図２２Ｃでは、インサイチュー５分後に、血液／キトサンインプラントが固体化しているように見える。被膜と皮膚を縫合し、ウサギは動きの制限なしに回復させた。
【００７６】
ヒトの患者の同様な治療が図２２Ｄに模式的に示されており、準備された軟骨欠損にインサイチューで固体化する液体血液／ポリマーを関節鏡注入する。または、液体ポリマーの関節鏡注入物は、欠損部位で骨由来の血液と混合される（図２２Ｅ）。図２２Ｄでは、患者の血液はエクスビボでポリマーと混合され、関節鏡注入により、準備された欠損部に送達するか、または（図２２Ｅ）関節鏡を用いてもしくは膝の開放手術中にポリマーを送達し、欠損部から出る患者の血液と欠損部で混合する。
【００７７】
概念実証のために、血液／キトサンゲル治療がウサギで検討された。成体の骨格の成熟したニュージーランドホワイトウサギ（７ヶ月以上）にキシラジン−ケタミンに続きイソフルオレン／酸素ガスで麻酔をした。傍膝蓋骨切開および膝蓋骨移動によって、大腿膝蓋溝の滑車を露出した。大腿膝蓋溝の滑車に最高４ ｘ ５ ｍｍまでの全層軟骨欠損を顕微手術用メスを用いて作製した。深さ４ ｍｍ、直径１ ｍｍの４つの骨貫通穴が、４℃ ＰＢＳの連続還流を行いながらのマイクロドリル、またはあつらえの突きぎりおよびハンマーを用いた穿孔によって作製された。欠損部にＰＢＳを流し、出血の程度によって、最高２００μｌのリン酸緩衝生理食塩水中の無菌エピネフリン（２μｇ／ｍｌ）を出血する穴に注入した。軟骨欠損はＰＢＳに浸した無菌ガーゼで覆った。ベクトンディッキンソン（Ｂｅｃｔｏｎ Ｄｉｃｋｉｎｓｏｎ）製のバキュテナ（ｖａｃｕｔａｉｎｅｒ）（商標）針および未処理のシリコン加工ガラスの４ｃｃ バキュテナ（ｖａｃｕｔａｉｎｅｒ）（商標）バイアルを用いて、耳の中心動脈からウサギの末梢血を採取した。
【００７８】
１つの処理では、血液７５０μｌが無菌の１ ｃｃシリンジに採取された。２５０μｌのキトサン−グリセロールリン酸溶液（１．５％キトサン／７０ ｍＭ ＨＣｌ／１３５ ｍＭ ？−グリセロールリン酸）を入れた第２のシリンジを、無菌プラスチックコネクターを用いて血液を入れたシリンジと相互接続した。シリンジは４０回押したり引いたりした。混合液を１つのシリンジに入れ、これに２０ゲージの針を接続した。混合液の半分をパージした後、１滴（約２５μｌ）を欠損に添加した。別の治療では、６６７μｌの１．５％キトサン／７０ ｍＭ ＨＣｌ／１３５ ｍＭ ？−グリセロールリン酸、および直径３．２ ｍｍの無菌ステンレスビーズ６個を入れたポリプロピレンのクリオバイアルチューブに、血液２ ｍｌを添加した。チューブにキャップをし、１０秒間激しく振盪した（約４０〜５０回）。得られた液体血液／キトサン混合物を、無菌の１ｃｃシリンジを用いてバイアルから取り出し、２０ｇ針をシリンジに接続した。シリンジから２００μｌをパージした後、１滴（約２５μｌ）を軟骨欠損部に添加して充填した。血液／キトサン混合物を５分間固体化させ、その後、被膜と皮膚を縫合し、創傷を消毒した。ウサギは１週目（ｎ＝１、オス）または５１日目もしくは５６日目（ｎ＝２、オス１匹、メス１匹）に屠殺した。関節を固定し、脱灰し、ＬＲ／ホワイトプラスチックに包埋し、切片を作製し、トルイジンブルーで染色した。治癒１週目の血液／キトサン処理欠損は、多数の走化性細胞が血液／キトサン充填領域に移動していることを示した（図２３Ａ）。未処理欠損部は、欠損部の上部の血塊に対して、比較的弱い走化性反応を示した（図２３Ｂ）。成体ニュージーランドホワイトウサギの両側大腿膝蓋溝に、マイクロドリル穴を持つ軟骨欠損を作製し、その１つを血液／キトサンゲルで充填し、もう１つは治療しなかった。治癒１週目に、関節を固定し、ＬＲホワイトで処理し、トルイジンブルーで染色した。軟骨表面の２〜３ ｍｍ下に、血液／キトサンで充填した欠損に向かって移動する多数の細胞が明らかであったが（図２３Ａ）、未処理の欠損の同じ領域には、より少ない数の移動する細胞しか見られなかった（図２３Ｂ）。
【００７９】
治癒５週目から８週目には、２羽のウサギ（オス１匹、メス１匹）で、血液／キトサン処理した欠損はガラス状の修復組織で充填されていた（図２４Ａ）。この血液／キトサンベースの修復組織は、ガラス状のＧＡＧに富む軟骨修復組織のような外見をしていた。未処理のまたは血液のみで処理した微小破壊欠損の修復組織は、線維軟骨の外見をしていた（図２４Ｂ）。血液／キトサンまたは血塊が送達後３週間またはそれ以上欠損部位に残ることを示す組織学的証拠はなかった。成体ニュージーランドホワイトウサギの両側大腿膝蓋溝に、マイクロドリル穴を持つ軟骨欠損を作製し、その１つを血液／キトサンゲルで充填し、もう１つは治療しなかった。治癒５１日目または５６日目に、関節を固定し、ＬＲホワイトで処理し、トルイジンブルーで染色した。図２４Ａでは、血液／キトサン処理した欠損の修復組織は、異染性の染色硝子軟骨の性状をしており、欠損表面に接着し、欠損を充填していた。図２４Ｂでは、未処理の欠損の修復組織は、線維軟骨の性状をしており、異染性染色のＧＡＧはほとんど見られず、部分的に欠損を充填するのみだった。
【００８０】
本発明は、説明された態様に関して特に記述されたが、当業者には数多くの改変が明らかであると思われる。したがって、上記の説明および添付の図面は、本発明の説明であり、限定するものではないと理解する必要がある。例えば、本発明者らは溶液のキトサンを血液と混合すると、あまり収縮されず、走化性および分裂促進性の血液蛋白質をゆっくりと放出するポリマー／血塊が形成され、血液細胞の生存力が維持され、関節軟骨欠損の修復が劇的に改善することを示した。当業者には、同じ結果を得るために、キトサン溶液を異なる方法で調製できることが明らかである。例には：１） キトサン濃度および血液との混合比率の変更、２） 緩衝液の種類および種の濃度を変更することによる水溶液の選択の変更、３） キトサン凝集物の水性懸濁液、４） 粒子状のキトサン粉末と適切な混合技術を組み合せて、これらの粒子を血液全体に分布させ部分的に溶解させることが含まれる。１） 抗凝固効果が製剤（低濃度を使用したり、トロンビンと組み合せるなど）により凝固促進状態にできる場合には、ヒアルロナンのような他の多糖類、および２） ポリリジンまたはコラーゲンのような蛋白質ポリマーのような他のポリマーも使用して、同様な効果を得ることができる。後者の手法は、免疫原性、毒性、および細胞接着／収縮効果のために、本発明者らの好ましい態様ほどの成功はしないが、これらおよび他の製剤は、本発明の一部と見なされる。それは、１） 血液または血液の選択された成分と混合可能であること、２） 得られた混合物が、組織の修復、再生、再建、またはバルキングを必要とする体の部位に注入可能または入れることができること、および３） 混合物は入れた部位で、組織の修復、再生、再建、またはバルキングに対して有用な効果を持つこと、という本発明のポリマー調製の特徴を持っているためである。
【００８１】
参考文献
2004501682.tif 000003
2004501682.tif 000004
2004501682.tif 000005
2004501682.tif 000006
2004501682.tif 000007
2004501682.tif 000008
2004501682.tif 000009
2004501682.tif 000010
2004501682.tif 000011
2004501682.tif 000012
2004501682.tif 000013
2004501682.tif 000014
2004501682.tif 000015
2004501682.tif 000016
2004501682.tif 000017
2004501682.tif 000018
2004501682.tif 000019
2004501682.tif 000020
2004501682.tif 000021
2004501682.tif 000022
【図面の簡単な説明】
【図１】ポリマー溶液と細胞の混合、および軟骨増殖のためのインビトロ固体化および培養を表す模式図である。
【図２】キトサン／グリセロールリン酸ゲル中での被包および培養後の軟骨細胞の生存力を示す。
【図３】グリコサミノグリカン（ＧＡＧ）の蓄積で測定した、インビトロでのキトサンゲル内の軟骨形成を示す。
【図４】キトサンゲル内で０日、１４日、および２０日培養した初代軟骨細胞の発現する軟骨特異的ｍＲＮＡのＲＮａｓｅプロテクション解析を示す。
【図５】キトサンゲル内で０日、１４日、および２０日培養した初代軟骨細胞の発現する軟骨特異的蛋白質のウェスタンブロット解析を示す。
【図６】軟骨細胞ありおよびなしで培養したゲルディスクの機械的振る舞いを示す。
【図７】ポリマーと細胞の混合およびマウスへの皮下注射の模式図である。
【図８】ヌードマウスの皮下で増殖した軟骨のトルイジンブルー組織構造を示す。
【図９】初代軟骨細胞ありおよびなしのキトサンゲルのインビボインプラントで発現する軟骨特異的ｍＲＮＡのＲＮａｓｅプロテクション解析を示す。
【図１０】初代軟骨細胞を含むキトサンゲルのマウスインプラントがインビボで発現する軟骨特異的蛋白質のウェスタンブロット解析を示す。
【図１１】ヌードマウスの皮下で増殖した軟骨インプラントの機械的性質を示す。
【図１２】無傷の関節のエクスビボブタ大腿骨顆の軟骨のみの欠損への熱でゲル化するキトサン溶液の接着を示す。
【図１３】ウサギの軟骨欠損への熱でゲル化するキトサン溶液の添加およびインビボにおける２４時間滞留を示す。
【図１４】注入２４時間後の、ウサギの軟骨欠損における熱でゲル化するキトサン溶液の保持を示す。
【図１５Ａ】血液／ポリマー混合物の調製、混合、およびインビトロ固体化を示す模式図を表す。
【図１５Ｂ及び１５Ｃ】ガラスまたはプラスチック製のアガロースウェル（図１５Ｂ）またはチューブ（図１５Ｃ）における、インビトロでの液体血液／ポリマーの固体化を示す。
【図１６】３つの異なる種由来の血液を用いた、血液／キトサン混合物に対する血液のみの平均固体化時間を示す。
【図１７Ａ】グラスバイアルへの沈着後、時間に対する血漿放出で測定した血液、または血液／ポリマー混合物の凝固収縮を示す。
【図１７Ｂ及び１７Ｃ】固体血液および血液／ポリマー混合物の物理的性状を示す。ガラスチューブ内、収縮後２８時間（図１７Ｂ）またはアガロースウェル中で自由に膨張したディスクをタイロード緩衝液中でインキュベートしたもの（図１７Ｃ）。
【図１８】液体キトサンの混合がヘパリンを介した抗凝固を逆行させるが、他の液体多糖類溶液は逆行させないことを示す。
【図１９】血液／ポリマー混合物の組織構造を示す。
【図２０】キトサン溶液と混合した後の白血球および血小板の生存力を示す。
【図２１】血液のみに比較して、インビトロで形成された血液／ポリマー混合物では血液蛋白質の放出が延長することを示す。
【図２２Ａ〜２２Ｃ】関節軟骨欠損の治癒を改善するための、ポリマー／血液混合物の調製、混合、および注入を示す。
【図２２Ｄ及び２２Ｅ】ヒト関節軟骨の治癒のための治療法の模式図である。
【図２３】骨を貫通する穴をもつ軟骨欠損に血液／ポリマー混合物を送達した１週間後に、骨髄由来で軟骨欠損に移動する修復細胞の走化性が増強したことを示す。
【図２４】血液／ポリマー混合物で治療した欠損中の硝子軟骨の増殖に対する治療しなかった欠損の線維性組織の増殖を示す。
【図１】
2004501682.tif 000023
【図２】
2004501682.tif 000024
【図３】
2004501682.tif 000025
【図４】
2004501682.tif 000026
【図５】
2004501682.tif 000027
【図６】
2004501682.tif 000028
【図７】
2004501682.tif 000029
【図８】
2004501682.tif 000030
【図９】
2004501682.tif 000031
【図１０】
2004501682.tif 000032
【図１１】
2004501682.tif 000033
【図１２】
2004501682.tif 000034
【図１３】
2004501682.tif 000035
【図１４】
2004501682.tif 000036
【図１５Ａ】
2004501682.tif 000037
【図１５Ｂ】
2004501682.tif 000038
【図１５Ｃ】
2004501682.tif 000039
【図１６】
2004501682.tif 000040
【図１７Ａ】
2004501682.tif 000041
【図１７Ｂ】
2004501682.tif 000042
【図１７Ｃ】
2004501682.tif 000043
【図１８】
2004501682.tif 000044
【図１９】
2004501682.tif 000045
【図２０】
2004501682.tif 000046
【図２１】
2004501682.tif 000047
【図２２Ａ】
2004501682.tif 000048
【図２２Ｂ】
2004501682.tif 000049
【図２２Ｃ】
2004501682.tif 000050
【図２２Ｄ】
2004501682.tif 000051
【図２２Ｅ】
2004501682.tif 000052
【図２３】
2004501682.tif 000053
【図２４】
2004501682.tif 000054
【国際公開パンフレット】
2004501682.tif 000055
2004501682.tif 000056
2004501682.tif 000057
2004501682.tif 000058
2004501682.tif 000059
2004501682.tif 000060
2004501682.tif 000061
2004501682.tif 000062
2004501682.tif 000063
2004501682.tif 000064
2004501682.tif 000065
2004501682.tif 000066
2004501682.tif 000067
2004501682.tif 000068
2004501682.tif 000069
2004501682.tif 000070
2004501682.tif 000071
2004501682.tif 000072
2004501682.tif 000073
2004501682.tif 000074
2004501682.tif 000075
2004501682.tif 000076
2004501682.tif 000077
2004501682.tif 000078
2004501682.tif 000079
2004501682.tif 000080
2004501682.tif 000081
2004501682.tif 000082
2004501682.tif 000083
2004501682.tif 000084
2004501682.tif 000085
2004501682.tif 000086
2004501682.tif 000087
2004501682.tif 000088
2004501682.tif 000089
2004501682.tif 000090
2004501682.tif 000091
2004501682.tif 000092
2004501682.tif 000093
2004501682.tif 000094
2004501682.tif 000095
2004501682.tif 000096
2004501682.tif 000097
2004501682.tif 000098
2004501682.tif 000099
2004501682.tif 000100
2004501682.tif 000101
2004501682.tif 000102
2004501682.tif 000103
2004501682.tif 000104
2004501682.tif 000105
2004501682.tif 000106
2004501682.tif 000107
2004501682.tif 000108
2004501682.tif 000109
2004501682.tif 000110
2004501682.tif 000111
2004501682.tif 000112
2004501682.tif 000113
2004501682.tif 000114
2004501682.tif 000115
2004501682.tif 000116
2004501682.tif 000117
2004501682.tif 000118
2004501682.tif 000119
2004501682.tif 000120
2004501682.tif 000121
2004501682.tif 000122
2004501682.tif 000123
2004501682.tif 000124
2004501682.tif 000125
2004501682.tif 000126
2004501682.tif 000127
2004501682.tif 000128
2004501682.tif 000129
2004501682.tif 000130
2004501682.tif 000131
2004501682.tif 000132
2004501682.tif 000133
2004501682.tif 000134
2004501682.tif 000135
2004501682.tif 000136
2004501682.tif 000137
2004501682.tif 000138
2004501682.tif 000139
2004501682.tif 000140
2004501682.tif 000141
2004501682.tif 000142
2004501682.tif 000143
2004501682.tif 000144
2004501682.tif 000145
2004501682.tif 000146
2004501682.tif 000147
2004501682.tif 000148
2004501682.tif 000149
2004501682.tif 000150
2004501682.tif 000151
2004501682.tif 000152
2004501682.tif 000153
2004501682.tif 000154
2004501682.tif 000155
2004501682.tif 000156
2004501682.tif 000157
2004501682.tif 000158
2004501682.tif 000159
2004501682.tif 000160
【国際公開パンフレット（コレクトバージョン）】
2004501682.tif 000161
【国際調査報告】
2004501682.tif 000162
2004501682.tif 000163
2004501682.tif 000164